(57)【要約】  信号処理装置において、第１の左目及び右目用のノイズ抽出回路１３１８、１３１９は、同一のノイズ抽出処理をする。一方、第２の左目及び右目用のノイズ抽出回路１３２０、１３２１は、互いに異なるノイズ抽出処理をする。信号処理制御回路１１は、入力立体映像信号が左目用映像信号の時には左目用のノイズ抽出回路側を選択し、右目用映像信号の時には右目用のノイズ抽出回路側を選択するよう、セレクタ１３１５、１３１６を選択する。相関検出回路１２１は、左目用映像信号と右目用映像信号との相関を検出し、その相関が高い場合には、第１のノイズ抽出回路１３１８、１３１９側を選択し、相関が低い場合には、第２のノイズ抽出回路１３２０、１３２１側を選択するように、セレクタ１３１７を制御する。従って、立体映像信号を構成する左目用信号と右目用信号とに対して各々異なる信号処理が行われて、左目用画像と右目用画像との間での不整合がなくなる。
2010050084.tif 000002
【特許請求の範囲】
【請求項１】
左目用映像信号と右目用映像信号とから成る立体映像信号を処理する信号処理装置であって、
前記立体映像信号より前記左目用映像信号を処理するタイミングと前記右目用映像信号を処理するタイミングとから成る制御信号を出力する信号処理制御手段と、
前記信号処理制御手段の制御信号に基づいて、前記左目用映像信号と前記右目用映像信号とに各々異なる信号処理を施す信号処理手段とから構成される
ことを特徴とする信号処理装置。
【請求項２】
前記請求項１記載の信号処理装置において、
前記信号処理手段は、
前記左目用映像信号のノイズ成分を低減する左目用ノイズリダクション手段と、
前記右目用映像信号のノイズ成分を低減する右目用ノイズリダクション手段とを備える
ことを特徴とする信号処理装置。
【請求項３】
前記請求項１記載の信号処理装置において、
前記信号処理手段は、
前記左目用映像信号の所定の信号成分を強調する左目用エンハンス手段と、
前記右目用映像信号の所定の信号成分を強調する右目用エンハンス手段とを備える
ことを特徴とする信号処理装置。
【請求項４】
左目用映像信号と右目用映像信号とから成る立体映像信号を処理する信号処理装置であって、
前記立体映像信号より前記左目用映像信号を処理するタイミングと前記右目用映像信号を処理するタイミングとから成る制御信号を出力する信号処理制御手段と、
前記左目用映像信号と前記右目用映像信号の相関を検出し、その検出結果を出力する相関検出手段と、
前記信号処理制御手段の制御信号と前記相関検出手段の検出結果とに基づいて、前記左目用映像信号と前記右目用映像信号とに各々異なる信号処理を施す信号処理手段とから構成される
ことを特徴とする信号処理装置。
【請求項５】
前記請求項４記載の信号処理装置において、
前記相関検出手段は、
前記左目用映像信号と前記右目用映像信号との何れか一方を所定の時間遅延させ差分をとって相関を検出し、前記検出結果を出力する
ことを特徴とする信号処理装置。
【請求項６】
前記請求項４及び５の何れか１項に記載の信号処理装置において、
前記信号処理手段は、
前記左目用映像信号のノイズ成分を低減する左目用ノイズリダクション手段と、
前記右目用映像信号のノイズ成分を低減する右目用ノイズリダクション手段とを備える
ことを特徴とする信号処理装置。
【請求項７】
前記請求項４及び５の何れか１項に記載の信号処理装置において、
前記信号処理手段は、
前記左目用映像信号の所定の信号成分を強調する左目用エンハンス手段と、
前記右目用映像信号の所定の信号成分を強調する右目用エンハンス手段とを備える
ことを特徴とする信号処理装置。
【請求項８】
前記請求項４及び５の何れか１項に記載の信号処理装置において、
前記信号処理手段は、
前記相関検出手段が高い相関を検出した領域に対して前記左目用映像信号と前記右目用映像信号とに第１の信号処理を施し、前記相関検出手段が高い相関を検出しなかった領域に対して前記左目用映像信号と前記右目用映像信号とに第２の信号処理を施す
ことを特徴とする信号処理装置。
【請求項９】
前記請求項８記載の信号処理装置において、
前記信号処理手段は、
前記相関検出手段が高い相関を検出した領域に対して前記左目用映像信号のノイズ成分を低減する第１の左目用ノイズリダクション手段と、
前記相関検出手段が高い相関を検出した領域に対して前記右目用映像信号のノイズ成分を低減する第１の右目用ノイズリダクション手段と、
前記相関検出手段が高い相関を検出しなかった領域に対して前記左目用映像信号のノイズ成分を低減する第２の左目用ノイズリダクション手段と、
前記相関検出手段が高い相関を検出しなかった領域に対して前記右目用映像信号のノイズ成分を低減する第２の右目用ノイズリダクション手段とから構成される
ことを特徴とする信号処理装置。
【請求項１０】
前記請求項８記載の信号処理装置において、
前記信号処理手段は、
前記相関検出手段が高い相関を検出した領域に対して前記左目用映像信号の所定の信号成分を強調する第１の左目用エンハンス手段と、
前記相関検出手段が高い相関を検出した領域に対して前記右目用映像信号の所定の信号成分を強調する第１の右目用エンハンス手段と、
前記相関検出手段が高い相関を検出しなかった領域に対して前記左目用映像信号の所定の信号成分を強調する第２の左目用エンハンス手段と、
前記相関検出手段が高い相関を検出しなかった領域に対して前記右目用映像信号の所定の信号成分を強調する第２の右目用エンハンス手段とから構成される
ことを特徴とする信号処理装置。
【請求項１１】
左目用映像信号と右目用映像信号とから成る立体映像信号を処理する信号処理装置であって、
前記左目用映像信号と前記右目用映像信号との相関を検出し、その検出結果を出力する相関検出手段と、
前記左目用映像信号と前記右目用映像信号との高い相関が検出された領域に対して前記左目用映像信号と前記右目用映像信号とに信号処理を施し、前記相関検出手段が高い相関を検出しなかった領域に対して前記左目用映像信号と前記右目用映像信号とに信号処理を施さない信号処理手段とから構成される
ことを特徴とする信号処理装置。
【請求項１２】
前記請求項１１記載の信号処理装置において、
前記相関検出手段は、
前記左目用映像信号と前記右目用映像信号の何れか一方を所定の時間遅延させ差分をとって相関を検出し、前記検出結果を出力する
ことを特徴とする信号処理装置。
【請求項１３】
前記請求項１１及び１２の何れか１項に記載の信号処理装置において、
前記信号処理手段は、
前記左目用映像信号のうち高い相関が検出された領域に対してノイズ成分を低減する左目用ノイズリダクション手段と、
前記右目用映像信号のうち高い相関が検出された領域に対してノイズ成分を低減する右目用ノイズリダクション手段とを備える
ことを特徴とする信号処理装置。
【請求項１４】
前記請求項１１及び１２の何れか１項に記載の信号処理装置において、
前記信号処理手段は、
前記左目用映像信号のうち高い相関が検出された領域に対して所定の信号成分を強調する左目用エンハンス手段と、
前記右目用映像信号のうち高い相関が検出された領域に対して所定の信号成分を強調する右目用エンハンス手段とを備える
ことを特徴とする信号処理装置。
【発明の詳細な説明】
【技術分野】
【０００１】
本発明は、左目用の画像と右目用の画像を用いて立体表示を行う際の信号処理に関する。
【背景技術】
【０００２】
従来より、左目用の画像と右目用の画像とを用いて、立体として認識させる方法が広く知られている。特許文献１には、左目用の画像と右目用の画像とを用意し、専用の眼鏡を用いて立体視させる方法が開示されている。【０００３】
図２０は従来の構成例を示すブロック図である。図２０において、２０１は表示器、２０２は駆動回路、２０３は立体視用眼鏡、２０４は立体映像信号入力端子、２０５は立体表示装置である。表示器２０１の一例としては、プラズマディスプレイや液晶ディスプレイ等がある。【０００４】
立体映像信号入力端子２０４から入力される立体映像信号は、左目用映像信号と右目用映像信号から構成される。例えば、左目用映像信号と右目用映像信号は１フィールド毎に交互に多重されている。駆動回路２０２は、立体映像信号より左目用映像信号と右目用映像信号を区別するための駆動信号を分離する。【０００５】
図２１に立体映像信号と左目用映像信号、右目用映像信号及び駆動信号との関係を示す。駆動信号は例えば左目用映像信号の時に０、右目用映像信号の時に１となる信号である。例えば左目用映像信号を偶数フィールドに、右目用映像信号を奇数フィールドに多重しておけば、立体映像信号をフィールド判別することにより、駆動信号を得ることができる。【０００６】
立体視用眼鏡２０３には、眼鏡のレンズに相当する箇所に例えば液晶シャッターが設けられており、駆動信号によって液晶シャッターがオン・オフされる。すなわち、左目用映像信号の場合は左目側の液晶シャッターが透過状態になり、右目側の液晶シャッターが遮断状態になる。つまり左目用映像信号を左目で見ることになる。逆に、右目用映像信号の場合は右目側の液晶シャッターが透過状態になり、左目側の液晶シャッターが遮断状態になる。つまり右目用映像信号を右目で見ることになる。【０００７】
表示器２０１には１フィールド毎交互に、例えば図２１に示した左目用映像信号に基づく左目用画像と右目用映像信号に基づく右目用画像が表示されている。左目用画像は左目のみで見た場合の画像であり、右目用画像は右目のみで見た場合の画像であって、左目と右目の視差の分だけずれたような画像になっている。これと立体視用眼鏡２０３とを組み合わせることにより、立体として認識できるようになる。
【先行技術文献】
【特許文献】
【０００８】
【特許文献１】特開昭６１−２２７４９８号公報
【発明の概要】
【発明が解決しようとする課題】
【０００９】
上述のような従来の装置を用いれば、映像を立体視することができる。しかしながら、近年のＡＶ機器の進歩は急激に進んでおり、画質の更なる向上を実現する技術が常に必要とされている。【００１０】
従来より、画質を改善する手法として、ノイズ成分を低減する手法（以下、ノイズリダクションと呼ぶ）や、細部までくっきり表示させるために解像度感やディテール感、メリハリを向上させる手法（以下、エンハンスと呼ぶ）等が知られている。ところが、立体映像信号に対してノイズリダクションやエンハンス等の信号処理を行うと、左目用画像と右目用画像の間で不整合が起こり、かえって画質を低下させる、という問題が新たに判った。【００１１】
例えば、図２１において左目と右目で同じように見えるＬ１点とＲ１点に対して、ノイズリダクションやエンハンス等を行っても弊害は発生しない。ところが、左目と右目で同じように見えない箇所、例えば図のＬ２点とＲ２点のように立体の奥行きにあたる箇所や左目で見ると陰になり右目でしか見えないような箇所に対してノイズリダクションやエンハンス等を行うと、左目用画像と右目用画像の間で不整合が発生し、かえってノイズ感が増したり、立体感を喪失する、という問題が生じる。【００１２】
前記の問題に鑑み、本発明は、立体映像信号に対して正しくノイズリダクションやエンハンス等の信号処理を行うことができる信号処理装置を提供することを目的とする。
【課題を解決するための手段】
【００１３】
本発明は、左目用映像信号と右目用映像信号とから成る立体映像信号を処理する信号処理装置において、左目用映像信号と右目用映像信号とに相互に異なる信号処理を施したり、不整合の発生する可能性のある領域を信号処理から排除することとする。【００１４】
具体的に、本発明の信号処理装置は、左目用映像信号と右目用映像信号とから成る立体映像信号を処理する信号処理装置であって、前記立体映像信号より前記左目用映像信号を処理するタイミングと前記右目用映像信号を処理するタイミングとから成る制御信号を出力する信号処理制御手段と、前記信号処理制御手段の制御信号に基づいて、前記左目用映像信号と前記右目用映像信号とに各々異なる信号処理を施す信号処理手段とから構成されることを特徴とする。【００１５】
本発明は、前記信号処理装置において、前記信号処理手段は、前記左目用映像信号のノイズ成分を低減する左目用ノイズリダクション手段と、前記右目用映像信号のノイズ成分を低減する右目用ノイズリダクション手段とを備えることを特徴とする。【００１６】
本発明は、前記信号処理装置において、前記信号処理手段は、前記左目用映像信号の所定の信号成分を強調する左目用エンハンス手段と、前記右目用映像信号の所定の信号成分を強調する右目用エンハンス手段とを備えることを特徴とする。【００１７】
本発明の信号処理装置は、左目用映像信号と右目用映像信号とから成る立体映像信号を処理する信号処理装置であって、前記立体映像信号より前記左目用映像信号を処理するタイミングと前記右目用映像信号を処理するタイミングとから成る制御信号を出力する信号処理制御手段と、前記左目用映像信号と前記右目用映像信号の相関を検出し、その検出結果を出力する相関検出手段と、前記信号処理制御手段の制御信号と前記相関検出手段の検出結果とに基づいて、前記左目用映像信号と前記右目用映像信号とに各々異なる信号処理を施す信号処理手段とから構成されることを特徴とする。【００１８】
本発明は、前記信号処理装置において、前記相関検出手段は、前記左目用映像信号と前記右目用映像信号との何れか一方を所定の時間遅延させ差分をとって相関を検出し、前記検出結果を出力することを特徴とする。【００１９】
本発明は、前記信号処理装置において、前記信号処理手段は、前記左目用映像信号のノイズ成分を低減する左目用ノイズリダクション手段と、前記右目用映像信号のノイズ成分を低減する右目用ノイズリダクション手段とを備えることを特徴とする。【００２０】
本発明は、前記信号処理装置において、前記信号処理手段は、前記左目用映像信号の所定の信号成分を強調する左目用エンハンス手段と、前記右目用映像信号の所定の信号成分を強調する右目用エンハンス手段とを備えることを特徴とする。【００２１】
本発明は、前記信号処理装置において、前記信号処理手段は、前記相関検出手段が高い相関を検出した領域に対して前記左目用映像信号と前記右目用映像信号とに第１の信号処理を施し、前記相関検出手段が高い相関を検出しなかった領域に対して前記左目用映像信号と前記右目用映像信号とに第２の信号処理を施すことを特徴とする。【００２２】
本発明は、前記信号処理装置において、前記信号処理手段は、前記相関検出手段が高い相関を検出した領域に対して前記左目用映像信号のノイズ成分を低減する第１の左目用ノイズリダクション手段と、前記相関検出手段が高い相関を検出した領域に対して前記右目用映像信号のノイズ成分を低減する第１の右目用ノイズリダクション手段と、前記相関検出手段が高い相関を検出しなかった領域に対して前記左目用映像信号のノイズ成分を低減する第２の左目用ノイズリダクション手段と、前記相関検出手段が高い相関を検出しなかった領域に対して前記右目用映像信号のノイズ成分を低減する第２の右目用ノイズリダクション手段とから構成されることを特徴とする。【００２３】
本発明は、前記信号処理装置において、前記信号処理手段は、前記相関検出手段が高い相関を検出した領域に対して前記左目用映像信号の所定の信号成分を強調する第１の左目用エンハンス手段と、前記相関検出手段が高い相関を検出した領域に対して前記右目用映像信号の所定の信号成分を強調する第１の右目用エンハンス手段と、前記相関検出手段が高い相関を検出しなかった領域に対して前記左目用映像信号の所定の信号成分を強調する第２の左目用エンハンス手段と、前記相関検出手段が高い相関を検出しなかった領域に対して前記右目用映像信号の所定の信号成分を強調する第２の右目用エンハンス手段とから構成されることを特徴とする。【００２４】
本発明の信号処理装置は、左目用映像信号と右目用映像信号とから成る立体映像信号を処理する信号処理装置であって、前記左目用映像信号と前記右目用映像信号との相関を検出し、その検出結果を出力する相関検出手段と、前記左目用映像信号と前記右目用映像信号との高い相関が検出された領域に対して前記左目用映像信号と前記右目用映像信号とに信号処理を施し、前記相関検出手段が高い相関を検出しなかった領域に対して前記左目用映像信号と前記右目用映像信号とに信号処理を施さない信号処理手段とから構成されることを特徴とする。【００２５】
本発明は、前記信号処理装置において、前記相関検出手段は、前記左目用映像信号と前記右目用映像信号の何れか一方を所定の時間遅延させ差分をとって相関を検出し、前記検出結果を出力することを特徴とする。【００２６】
本発明は、前記信号処理装置において、前記信号処理手段は、前記左目用映像信号のうち高い相関が検出された領域に対してノイズ成分を低減する左目用ノイズリダクション手段と、前記右目用映像信号のうち高い相関が検出された領域に対してノイズ成分を低減する右目用ノイズリダクション手段とを備えることを特徴とする。【００２７】
本発明は、前記信号処理装置において、前記信号処理手段は、前記左目用映像信号のうち高い相関が検出された領域に対して所定の信号成分を強調する左目用エンハンス手段と、前記右目用映像信号のうち高い相関が検出された領域に対して所定の信号成分を強調する右目用エンハンス手段とを備えることを特徴とする。【００２８】
以上により、本発明では、左目用映像信号の処理時や右目用映像信号の処理時、又は、左目用映像信号と右目用映像信号との相関が低い際には、左目用映像信号と右目用映像信号とに各々最適な信号処理が施されたり、不整合の発生する可能性のある領域を信号処理から排除できるので、左目用画像と右目用画像との間の不整合を抑制でき、立体感を損なうことがない。
【発明の効果】
【００２９】
以上説明したように、本発明の信号処理装置によれば、左目用映像信号と右目用映像信号とに各々最適な信号処理を施したり、不整合の発生する可能性のある領域を信号処理から排除して、左目用画像と右目用画像との間の不整合を抑制し、立体感を損なうことがないようにしたので、立体映像信号に対して正しく信号処理を行うことができ、高画質な立体表示が可能である。
【図面の簡単な説明】
【００３０】
【図１】図１は本発明の第１の実施形態に係る信号処理装置の全体構成を示すブロック図である。
【図２】図２（ａ）はフィールド単位で多重された立体映像信号を説明する図、同図（ｂ）はライン単位で多重された立体映像信号を説明する図、同図（ｃ）は画素単位で多重された立体映像信号を説明する図である。
【図３】図３は同信号処理回路の内部構成例を示すブロック図である。
【図４】図４は同信号処理回路を構成するノイズリダクション回路の具体的構成例を示すブロック図である。
【図５】図５は同ノイズリダクション回路の第２の具体的構成例を示すブロック図である。
【図６】図６は同ノイズリダクション回路の第３の具体的構成例を示すブロック図である。
【図７】図７は同信号処理回路の第２の内部構成例を示すブロック図である。
【図８】図８は同信号処理回路であるエンハンス回路の具体的構成例を示すブロック図である。
【図９】図９は同エンハンス回路の第２の具体的構成例を示すブロック図である。
【図１０】図１０は同エンハンス回路の第３の具体的構成例を示すブロック図である。
【図１１】図１１は同信号処理装置の第３の内部構成例を示すブロック図である。
【図１２】図１２は本発明の第２の実施形態に係る信号処理装置の全体構成を示すブロック図である。
【図１３】図１３は同信号処理装置に備える信号処理回路であるノイズリダクション回路の具体的構成例を示すブロック図である。
【図１４】図１４は同信号処理装置に備える相関検出回路の具体的構成例を示すブロック図である。
【図１５】図１５は同信号処理回路の第２の内部構成例を示すブロック図である。
【図１６】図１６は同信号処理回路であるエンハンス回路の具体的構成例を示すブロック図である。
【図１７】図１７は同信号処理回路の第３の構成例を示すブロック図である。
【図１８】図１８は本発明の第３の実施形態に係る信号処理装置の全体構成例を示すブロック図である。
【図１９】図１９は同信号処理装置の第２の全体構成例を示すブロック図である。
【図２０】図２０は従来の立体表示装置の構成例である。
【図２１】図２１は立体映像信号を説明する図である。
【発明を実施するための形態】
【００３１】
以下、本発明の実施形態について、図面を用いて説明する。
【００３２】
（第１の実施形態）
図１は本発明の第１の実施形態に係る信号処理装置の構成を示すブロック図である。図１の信号処理装置１３は、信号処理制御回路１１と、信号処理回路１２とを備えている。また信号処理装置１３には、従来の技術の項で説明した立体表示装置２０５が接続されている。図２０と同一の動作を行うものは同じ符号を付した。従来の技術の項で説明した立体表示装置２０５の説明は省略する。
【００３３】
一般的には、立体視用眼鏡２０３を除く立体表示装置２０５と信号処理装置１３は１つの筐体、例えばプラズマテレビや液晶テレビに納められる。又は、立体視用眼鏡２０３を除く立体表示装置２０５が１つの筐体、例えばプラズマテレビや液晶テレビに納められ、信号処理装置１３が１つの筐体、例えばＤＶＤプレーヤやＤＶＤレコーダに納められ、両者がＤＶＩ（Digital Visual Interface）やＨＤＭＩ（High-Definition Multimedia Interface）といったデジタルインターフェースで接続される。
【００３４】
図１の構成において、信号処理制御回路（信号処理制御手段）１１は、左目用映像信号に信号処理を施すタイミングと、右目用映像信号に信号処理を施すタイミングとを生成し、信号処理回路１２を制御する。信号処理回路（信号処理手段）１２は、このタイミングに基づいて、左目用映像信号の信号処理と、右目用映像信号の信号処理を各々行う。
【００３５】
入力立体映像信号には、左目用映像信号と右目用映像信号が多重されている。左目用映像信号と右目用映像信号の多重方法には、従来より様々な方法が提案されているが、代表的な例として、１フィールド毎、１ライン毎、１画素毎に多重する場合を図２（ａ）〜（ｃ）に各々示す。
【００３６】
図２（ａ）は、左目用映像信号（Ｌ）と右目用映像信号（Ｒ）を１フィールド毎に多重する例である。信号処理制御回路１１は、入力立体映像信号より左目用映像信号（Ｌ）のフィールドの時に０、右目用映像信号（Ｒ）のフィールドの時に１となる制御信号を出力する。例えば左目用映像信号を偶数フィールドに、右目用映像信号を奇数フィールドに多重しておけば、信号処理制御回路１１が立体映像信号のフィールドを判別することにより、このような制御信号を得ることができる。又は、入力立体映像信号の帰線期間中に左目用映像信号（Ｌ）か右目用映像信号（Ｒ）かを区別する信号を多重し、信号処理制御回路１１がこの信号を分離して制御信号を出力する構成としてもよい。
【００３７】
図２（ｂ）は、左目用映像信号（Ｌ）と右目用映像信号（Ｒ）を１ライン毎に多重する例である。信号処理制御回路１１は、入力立体映像信号より左目用映像信号（Ｌ）のラインの時に０、右目用映像信号（Ｒ）のラインの時に１となる制御信号を出力する。例えば左目用映像信号を奇数ラインに、右目用映像信号を偶数ラインに多重しておけば、信号処理制御回路１１が立体映像信号の何ライン目かを判別することにより、このような制御信号を得ることができる。又は、入力立体映像信号の水平帰線期間中に左目用映像信号（Ｌ）か右目用映像信号（Ｒ）かを区別する信号を多重し、信号処理制御回路１１がこの信号を分離して制御信号を出力する構成としてもよい。
【００３８】
図２（ｃ）は、左目用映像信号（Ｌ）と右目用映像信号（Ｒ）を１画素毎に多重する例である。信号処理制御回路１１は、入力立体映像信号より左目用映像信号（Ｌ）の画素の時に０、右目用映像信号（Ｒ）の画素の時に１となる制御信号を出力する。例えば左目用映像信号を奇数番目の画素に、右目用映像信号を偶数番目の画素に多重しておけば、信号処理制御回路１１が立体映像信号の何画素目かを判別することにより、このような制御信号を得ることができる。
【００３９】
前記従来の技術の説明では、図２（ａ）のように左目用映像信号と右目用映像信号がフィールド毎に多重されている場合について立体表示装置２０５の動作を説明したが、図２（ｂ）や同図（ｃ）の場合も左目用画像と右目用画像を表示器２０１に交互に表示し、これを立体視用眼鏡２０３で鑑賞する点は同様である。但し、図２（ｂ）ではライン毎に、図２（ｃ）では画素毎に左目用映像信号と右目用映像信号が多重されているので、１画面分のメモリを用意し、このメモリを用いて左目用画像と右目用画像を再現した後に表示する点が異なる。
【００４０】
図２（ａ）、図２（ｂ）、図２（ｃ）に示した以外にも、フレーム毎に交互に多重する方法や、１ラインの左側と右側で多重する方法等があるが、何れにしても信号処理制御回路１１は、左目用映像信号と右目用映像信号を区別できる制御信号を生成し出力する。
【００４１】
図３に信号処理回路１２の具体例を示す。図３において、３１はノイズリダクション回路であって、信号処理回路１２でノイズを低減する例を示した。
【００４２】
ノイズリダクション回路３１は、信号処理制御回路１１より制御信号を受け、左目用映像信号と右目用映像信号に異なるノイズリダクション処理を施す。ノイズリダクション回路３１の具体的な構成例を図４に示す。図４において４１、４６はバンドパスフィルター（以下、ＢＰＦと呼ぶ）、４２、４７は係数回路、４３、４８はリミッタ、４４、４９は遅延回路、４５、４１０は減算器、４１１はセレクタ、４１２は左目用ノイズ抽出回路、４１３は右目用ノイズ抽出回路、４１４は左目用ノイズリダクション回路（左目用ノイズリダクション手段）、４１５は右目用ノイズリダクション回路（右目用ノイズリダクション手段）である。
【００４３】
ＢＰＦ４１は、左目用映像信号のノイズ帯域を考慮して、その周波数帯域が選択される。例えば、低域のノイズを抽出する時は、ＢＰＦ４１はローパスフィルターと等価になる。逆に高周波のノイズを抽出する時は、ＢＰＦ４１はハイパスフィルターと等価になる。視覚的にノイズ成分として目立つ３〜４ＭＨｚ付近のノイズを抽出する時は、３〜４ＭＨｚ付近にピークを持つバンドパスフィルターと等価になる。何れにせよＢＰＦ４１は、左目用映像信号のノイズ帯域を考慮して、その周波数特性が決定される。
【００４４】
係数回路４２は、ＢＰＦ４１の出力に定数を乗算するものであり、抽出するノイズ量を決定する。通常、この定数は１以下であり、ＢＰＦ４１で抽出されたノイズ量のうち何パーセントをノイズとして見なすかを決定する。リミッタ４３は、抽出するノイズ量の上限を設定するものであり、ある一定値より大きなノイズをノイズではなく信号として処理するためのものである。係数回路４２とリミッタ４３を組み合わせることにより、必要な信号はそのまま残し、ノイズ成分のみを抽出する効果がある。
【００４５】
遅延回路４４で左目用ノイズ抽出回路４１２の処理遅延時間と同じだけ入力立体映像信号が遅延され、タイミングが合った状態で、減算器４５で入力立体映像信号より抽出されたノイズ成分が減算される。すなわち、左目用映像信号のノイズ成分が低減される。
【００４６】
右目用ノイズ抽出回路４１３のＢＰＦ４６、係数回路４７、リミッタ４８、遅延回路４９、減算器４１０の動作は、ＢＰＦ４１、係数回路４２、リミッタ４３、遅延回路４４、減算器４５の動作と同一である。但し、ＢＰＦ４６の帯域、係数回路４７の定数、リミッタ４８の上限は右目用映像信号に最適化されており、左目用ノイズ抽出回路４１２のそれとは異なる。
【００４７】
以上のようにして、左目用ノイズリダクション回路４１４では左目用に最適化されてノイズ成分が低減され、右目用ノイズリダクション回路４１５では右目用に最適化されてノイズ成分が低減される。セレクタ４１１では、信号処理制御回路１１からの制御信号により、左目用映像信号の時には左目用ノイズリダクション回路４１４の出力が選択され、右目用映像信号の時には右目用ノイズリダクション回路４１５の出力が選択されて、出力される。すなわち、入力立体映像信号のノイズ成分が低減され、かつその低減量は左目用映像信号と右目用映像信号とで最適化されている。
【００４８】
以上のように、信号処理回路１２にノイズリダクション回路３１を用いることにより、左目用映像信号と右目用映像信号とに最適化した状態でノイズ成分を低減できる。例えば鑑賞者の視力に合わせて、視力の高い方のノイズをより低減するようにすれば、ノイズ感のバランスが左右で取れ、立体感を向上させることができる。
【００４９】
図４の構成は、図５の構成としてもよい。図５において、５１は遅延回路、５２は減算器、５３はセレクタである。図４と同じ動作をするものについては同じ符号を付した。図５の構成では、図４の遅延回路４４と遅延回路４９を遅延回路５１により共用化し、減算器４５と減算器４１０を減算器５２により共用化している。このような構成をとることにより、図４に比べて回路規模が減少し、信号処理回路１２を安価に構成できる。
【００５０】
図４、図５にはノイズリダクション回路３１の一例を示したが、図６のような構成方法も広く知られている。図６において、６１は遅延回路、６２は減算器である。図４、図５と同一の動作を示すものは同一の符号を付した。
【００５１】
遅延回路６１は、ラインメモリやフレームメモリである。減算器６２で遅延回路６１との差分を取ることにより、ライン間相関やフレーム間相関を取ることができる。例えば図２（ａ）のようにフィールド毎に左目用映像信号と右目用映像信号が多重されている場合、遅延回路６１の遅延量は１フレームであって、左目用映像信号同士のフレーム間相関、右目用映像信号同士のフレーム間相関を取ることができる。一般に映像信号の性質として、通常の映像信号はライン相関やフレーム相関が高いが、ノイズ成分は相関が低いことが知られている。この性質を利用して、遅延回路６１と減算器６２とにより、ライン間相関又はフレーム間相関の低い領域を抽出する。これらの領域に対して図５と同一のノイズリダクション処理を行うことにより、より一層高精度にノイズ成分を低減することができる。
【００５２】
前記図４、図５及び図６には、ノイズリダクション回路３１の一例を示したが、複数ラインの相関を用いる方式やフィールド間の相関を用いる方式、それらを組み合わせる方式等、ノイズを低減する回路であれば、どのようなものでもよい。要するに、制御信号に基づいて左目用映像信号と右目用映像信号とに各々最適なノイズリダクションを施せれば、どのような方式でも図４、図５、図６と同様の効果がある。
【００５３】
図７に、信号処理回路１２の別の具体例として、解像度感やディテール感、メリハリを向上させる例を示した。図７において、７１はエンハンス回路である。エンハンス回路７１は、信号処理制御回路１１が出力する制御信号のタイミングに基づいて、左目用映像信号の特定信号成分の強調処理（以下、エンハンス処理と呼ぶ）と、右目用映像信号のエンハンス処理を各々行う。
【００５４】
エンハンス回路７１の具体的な構成例を図８に示す。図８において８１、８６はＢＰＦ、８２、８７は係数回路、８３、８８はリミッタ、８４、８９は遅延回路、８５、８１０は加算器、８１１はセレクタ、８１２は左目用エンハンス成分抽出回路、８１３は右目用エンハンス成分抽出回路、８１４は左目用エンハンス回路（左目用エンハンス手段）、８１５は右目用エンハンス回路（右目用エンハンス手段）である。
【００５５】
ＢＰＦ８１は、左目用映像信号の強調したい信号成分を考慮して、その周波数帯域が選択される。一般に映像信号の特質として、高周波成分を強調すると解像度感やディテール感が向上し、視覚的に目立つ３〜４ＭＨｚ付近を強調するとメリハリが向上する。例えば、解像度感やディテール感を向上させる時は、高周波成分を強調するためにＢＰＦ８１はハイパスフィルターと等価になる。画像にメリハリをつける時は、３〜４ＭＨｚ付近にピークを持つバンドパスフィルターと等価になる。何れにせよＢＰＦ８１は、左目用映像信号の強調したい信号成分を考慮して、その周波数特性が決定される。
【００５６】
係数回路８２は、ＢＰＦ８１の出力に定数を乗算するものであり、映像信号を強調する量（以下、エンハンス量と呼ぶ）を決定する。通常、この定数は１以下であり、ＢＰＦ８１で抽出されたエンハンス量のうち何パーセントを実際のエンハンス量とするかを決定する。リミッタ８３は、エンハンス量の上限を設定するものであり、強調し過ぎることによりノイズ成分までもが強調されノイズ感が逆に増すことを回避するためのものである。係数回路８２とリミッタ８３を組み合わせることにより、必要な信号成分のみを強調する効果がある。
【００５７】
遅延回路８４で左目用エンハンス成分抽出回路８１２の処理遅延時間と同じだけ入力立体映像信号が遅延され、タイミングが合った状態で、加算器８５で入力立体映像信号に抽出されたエンハンス成分が加算される。すなわち、入力立体映像信号にエンハンス成分が加算され、かつその加算量は左目用映像信号に最適化されている。
【００５８】
右目用エンハンス成分抽出回路８１３のＢＰＦ８６、係数回路８７、リミッタ８８、遅延回路８９、加算器８１０の動作は、ＢＰＦ８１、係数回路８２、リミッタ８３、遅延回路８４、加算器８５の動作と同一である。但し、ＢＰＦ８６の帯域、係数回路８７の定数、リミッタ８８の上限は右目用映像信号に最適化されており、左目用エンハンス成分抽出回路８１２のそれとは異なる。
【００５９】
以上のようにして、左目用エンハンス回路８１４では左目用に最適化されたエンハンス成分が加算され、右目用エンハンス回路８１５では右目用に最適化されたエンハンス成分が加算される。セレクタ８１１では、信号処理制御回路１１からの制御信号により、左目用映像信号の時には左目用エンハンス回路８１４の出力が選択され、右目用映像信号の時に右目用エンハンス回路８１５の出力が選択されて、出力される。すなわち、入力立体映像信号にエンハンス成分が加算され、かつそのエンハンス量は左目用映像信号と右目用映像信号とで最適化されている。
【００６０】
以上のように、信号処理回路１２にエンハンス回路７１を用いることにより、左目用映像信号と右目用映像信号とに最適化した状態でエンハンス成分を加算できる、すなわち解像度感やディテール感を向上させたり、メリハリを向上させたりできる。例えば鑑賞者の視力に合わせて、視力の低い方の解像度感をより強調するようにすれば、解像度感のバランスが左右で取れ、立体感を向上させることができる。
【００６１】
図８の構成は、図９の構成としてもよい。図９において、９１は遅延回路、９２は加算器、９３はセレクタである。図８と同じ動作をするものについては同じ符号を付した。図９の構成では、図８の遅延回路８４と遅延回路８９を遅延回路９１で共用化し、加算器８５と加算器８１０を加算器９２で共用化している。このような構成をとることにより、図８に比べて回路規模が減少し、信号処理回路１２を安価に構成できる。
【００６２】
図８、図９にはエンハンス回路の一例を示したが、図１０のような構成方法も広く知られている。図１０において、１０１は遅延回路、１０２は減算器、１０３は比較回路である。図８、図９と同一の動作を示すものは同一の符号を付した。
【００６３】
遅延回路１０１は、ラインメモリやフレームメモリである。減算器１０２で入力立体映像信号と遅延回路１０１との差分を取ることにより、ライン間相関やフレーム間相関を取ることができる。例えば、図２（ａ）のようにフィールド毎に左目用映像信号と右目用映像信号が多重されている場合、遅延回路１０１の遅延量は１フレームであって、左目用映像信号同士のフレーム間相関、右目用映像信号同士のフレーム間相関を取ることができる。一般に映像信号の性質として、通常の映像信号はライン相関やフレーム相関が高いが、ノイズ成分は相関が低いことが知られている。この性質を利用して、減算器１０２の出力を比較回路１０３で所定の値より大きいかどうか比較することにより、ライン間相関又はフレーム間相関の高い領域を抽出する。これらの相関の高い領域に対しては図９と同一のエンハンス処理を行うことにより、ノイズ成分を強調することなく、より一層高精度にエンハンス処理を行うことができる。
【００６４】
図８、図９、図１０にはエンハンス回路７１の一例を示したが、複数ラインの相関を用いる方式やフィールド間の相関を用いる方式、それらを組み合わせる方式等、エンハンス処理をする回路であれば、どのようなものでもよい。要するに、制御信号に基づいて左目用映像信号と右目用映像信号とに各々最適なエンハンス処理を施せれば、どのような方式でも図８、図９、図１０と同様の効果がある。
【００６５】
尚、信号処理回路１２は左目用映像信号と右目用映像信号とに異なる処理を施せばよく、上述したノイズリダクション回路３１やエンハンス回路７１に限定されないことは言うまでもない。例えば図１１に示すように、ノイズリダクション回路３１とエンハンス回路７１を組み合わせても良い。例えばインターレースからプログレッシブへの変換（以下、ＩＰ変換と呼ぶ）であってもよい。例えば画像の拡大や縮小であってもよい。
【００６６】
以上のように、本実施形態によると、左目用映像信号と右目用映像信号とに異なる処理を施すことができるので、信号処理が最適化でき、ノイズの低減、解像度感、ディテール感、メリハリの向上等が図れると共に、立体感を向上させることもできる。
【００６７】
尚、立体視用眼鏡２０３に液晶シャッターを用いる場合について説明したが、例えば立体視用眼鏡２０３の液晶シャッターの代わりに偏光レンズを用いて、表示器２０１で表示する左目用映像信号と右目用映像信号との偏光を変えることにより、立体視させる方式でもよい。又は、立体視用眼鏡２０３を用いずに、表示器２０１の表面をレンチキラーレンズで覆い、裸眼で立体視させる方式であってもよい。何れにせよ、左目用映像信号と右目用映像信号とを用いて立体視をさせるものであれば、立体表示装置２０５の方式によらず、本発明がそのまま適用できることは明らかである。
【００６８】
（第２の実施形態）
図１２は本発明の第２の実施形態に係る信号処理装置の構成を示すブロック図である。図１２の信号処理装置は、信号処理制御回路１１と、相関検出回路１２１と、信号処理回路１２２とを備えている。尚、図１２の信号処理装置の後段に従来の技術の項で説明した立体表示装置２０５を接続することにより立体視が可能となる。従来の技術の項で説明した立体表示装置２０５の説明は省略する。
【００６９】
図１２の構成において、信号処理制御回路（信号処理制御手段）１１は、左目用映像信号に信号処理を施すタイミングと、右目用映像信号に信号処理を施すタイミングとを生成し、信号処理回路１２２を制御する。また、相関検出回路（相関検出手段）１２１は、左目用映像信号と右目用映像信号の相関を検出し、その検出結果を出力する。信号処理回路（信号処理手段）１２２は、信号処理制御回路１１が出力するタイミングと相関検出回路１２１が出力する検出結果に基づいて、左目用映像信号の信号処理と、右目用映像信号の信号処理を各々行う。
【００７０】
信号処理回路１２２の例として、ノイズリダクション回路１２３がある。図１３に、ノイズリダクション回路１２３と相関検出回路１２１との具体的な構成例を示す。ノイズリダクション回路１２３は、ＢＰＦ１３１、１３４、１３７、１３１０、係数回路１３２、１３５、１３８、１３１１、リミッタ１３３、１３６、１３９、１３１２、遅延回路１３１３、減算器１３１４、セレクタ１３１５、１３１６、１３１７、第１の左目用ノイズ抽出回路１３１８、第１の右目用ノイズ抽出回路１３１９、第２の左目用ノイズ抽出回路１３２０、第２の右目用ノイズ抽出回路１３２１を備えている。相関検出回路１２１は、遅延回路１３２２と減算器１３２３と比較回路１３２４を備えている。
【００７１】
ＢＰＦ１３１、係数回路１３２、リミッタ１３３で構成される第１の左目用ノイズ抽出回路１３１８、ＢＰＦ１３４、係数回路１３５、リミッタ１３６で構成される第１の右目用ノイズ抽出回路１３１９、ＢＰＦ１３７、係数回路１３８、リミッタ１３９で構成される第２の左目用ノイズ抽出回路１３２０、ＢＰＦ１３１０、係数回路１３１１、リミッタ１３１２で構成される第２の右目用ノイズ抽出回路１３２１は、図４の左目用ノイズ抽出回路４１２や右目用ノイズ抽出回路４１３と同等の動作を行うので、詳しい説明は省略する。図１３では、ノイズリダクション回路１２３は、第１及び第２の左目用及び右目用の各ノイズ抽出回路１３１８〜１３２１が、遅延回路１３１３、減算器１３１４及び３個のセレクタ１３１５、１３１６、１３１７を共用した形で、各々、第１及び第２の左目用及び右目用のノイズリダクション回路を構成している。
【００７２】
相関検出回路１２１は、左目用映像信号と右目用映像信号の相関を検出する。左目用映像信号と右目用映像信号とが図２（ａ）のように１フィールド毎交互に多重されているとすると、遅延回路１３２２で１フィールド＋視差分だけ入力立体映像信号を遅延させる。これと入力立体映像信号との差分を減算器１３２３で求めると、左目用映像信号と右目用映像信号とで相関が高い領域、すなわち、左目と右目とで同じように見える領域で減算器１３２３の出力が０に近づく。逆に、相関の低い領域、すなわち左目と右目で異なって見える領域では減算器１３２３の出力が大きくなる。そこで比較回路１３２４で所定のしきい値と比較することにより、相関の高い領域で０、低い領域で１を比較回路１３２４が出力する。
【００７３】
セレクタ１３１７は、相関検出回路１２１の出力に制御され、相関の高い領域で第１の左目用ノイズ抽出回路１３１８の出力、又は第１の右目用ノイズ抽出回路１３１９の出力を選択する。信号処理制御回路１１の出力でセレクタ１３１５、１３１６が切り替わるので、結局、左目用映像信号のうち左目と右目の相関の高い領域で第１の左目用ノイズ抽出回路１３１８の出力が選択され、右目用映像信号のうち左目と右目の相関の高い領域で第１の右目用ノイズ抽出回路１３１９の出力が選択され、減算器１３１４に供給される。同様に、左目用映像信号のうち左目と右目の相関の低い領域で第２の左目用ノイズ抽出回路１３２０の出力が選択され、右目用映像信号のうち左目と右目の相関の低い領域で第２の右目用ノイズ抽出回路１３２１の出力が選択され、減算器１３１４に供給される。
【００７４】
遅延回路１３１３でタイミングを合わせた後、抽出されたノイズが減算器１３１４で減算され、ノイズを低減された立体映像信号が出力される。結局、相関検出回路１２１で相関が高いと検出された領域には、左目用映像信号に対しては第１の左目用ノイズ抽出回路１３１８によって処理される第１の左目用ノイズリダクション処理が、右目用映像信号に対しては第１の右目用ノイズ抽出回路１３１９によって処理される第１の右目用ノイズリダクション処理が施される。相関検出回路１２１で相関が低いと検出された領域には、左目用映像信号に対しては第２の左目用ノイズ抽出回路１３２０によって処理される第２の左目用ノイズリダクション処理が、右目用映像信号に対しては第２の右目用ノイズ抽出回路１３２１によって処理される第２の右目用ノイズリダクション処理が施される。
【００７５】
ＢＰＦ１３１とＢＰＦ１３４、係数回路１３２と係数回路１３５、リミッタ１３３とリミッタ１３６には同一のものを用いてもよい。その場合、左目用映像信号と右目用映像信号の相関の高い領域には、左右均等にノイズが低減されるので、立体ではない通常の映像信号にノイズリダクション処理を行った場合と同等のノイズ改善効果が得られる。一方、相関の低い領域には、左目用映像信号と右目用映像信号とで各々最適なノイズリダクション処理が行えるので、左目用映像信号と右目用映像信号との間の不整合を抑圧でき、立体感が損なわれることがない。
【００７６】
勿論、ＢＰＦ１３１とＢＰＦ１３４、係数回路１３２と係数回路１３５、リミッタ１３３とリミッタ１３６は各々異なる特性としてもよい。この場合、例えば鑑賞者の視力に合わせて、視力の高い方のノイズをより低減するようにすれば、ノイズ感のバランスが左右で取れ、立体感を向上させるという効果を更に加えることができる。
【００７７】
尚、図１３では、信号処理制御回路１１に制御されたセレクタ１３１５、１３１６の後段に相関検出回路１２１に制御されるセレクタ１３１７を配置したが、この順序を逆にしても効果は同一である。すなわち、相関検出回路１２１で高い相関を検出された領域に対して第１の左目用ノイズリダクション処理を行い、高い相関が検出されなかった領域に対して第２の左目用ノイズリダクション処理を行う。同様に、相関検出回路１２１で高い相関を検出された領域に対して第１の右目用ノイズリダクション処理を行い、高い相関が検出されなかった領域に対して第２の右目用ノイズリダクション処理を行う。両者を信号処理制御回路１１が出力する制御信号で選択すれば、図１３と同等の効果が得られる。つまり、相関検出回路１２１で制御される左目用ノイズリダクション処理と右目用ノイズリダクション処理を設け、両者を信号処理制御回路１１が出力する制御信号で選択することによっても、図１３と同等の効果が得られる。
【００７８】
左目と右目との視差が一意に決定できれば、図１３に示す遅延回路１３２２で相関検出回路１２１を構成できるが、入力立体映像信号に依存して視差が異なる場合、左右の視差を検出する必要がある。このような場合の相関検出回路１２１の具体的な構成例を図１４に示す。相関検出回路１２１は遅延回路１４１、１４２、１４３と減算器１４４、１４５、１４６と視差検知回路１４７と比較回路１４８とを備える。
【００７９】
遅延回路１４１の遅延量は、左目用映像信号と右目用映像信号の多重の方式によって異なる。図２（ａ）のように１フィールド毎に交互に多重されている場合は、例えば１フィールドであり、図２（ｂ）のように１ライン毎に交互に多重されている場合は、例えば１ラインである。これに対して遅延回路１４２、１４３の遅延量は１画素である。遅延回路１４１、１４２、１４３と減算器１４４、１４５、１４６により、左目用映像信号と右目用映像信号とを１画素ずつずらしながら、差分を取ることができる。視差を吸収できる十分な段数だけ遅延回路１４２、１４３を持っておけば、相関の最も大きな箇所で減算器１４４、１４５、１４６の何れかの出力が極小となる。これを視差検知回路１４７で検知すれば、視差に相当する遅延量が得られる。このような検知は初期化時に１回行う場合もあれば、１フィールド毎に行う場合もある。視差検知回路１４７で検知した結果、視差に相当する遅延量との差分を出力する減算器が選択され、その出力としきい値とを比較回路１４８で比較し、相関の大小が出力される。
【００８０】
以上のように、相関検出回路１２１を備えることにより、左目用映像信号と右目用映像信号の各々に最適なノイズリダクション処理を行うことができ、左目用画像と右目用画像との間で不整合が発生しないので、立体感を損なわずにノイズを低減できる。
【００８１】
図１５には、信号処理回路１２２としてエンハンス回路１５１を用いた例を示した。信号処理制御回路１１と相関検出回路１２１は図１３で説明したのと同一の動作を行うので、詳しい説明は省略する。エンハンス回路１５１は信号処理制御回路１１と相関検出回路１２１により制御され、入力される左目用映像信号と右目用映像信号に各々最適なエンハンス処理を行う。
【００８２】
図１６に、エンハンス回路１５１の具体的な構成例を示す。エンハンス回路１５１は、ＢＰＦ１６１、１６４、１６７、１６１０、係数回路１６２、１６５、１６８、１６１１、リミッタ１６３、１６６、１６９、１６１２、遅延回路１６１３、加算器１６１４、セレクタ１６１５、１６１６、１６１７、第１の左目用エンハンス成分抽出回路１６１８、第１の右目用エンハンス成分抽出回路１６１９、第２の左目用エンハンス成分抽出回路１６２０、第２の右目用エンハンス成分回路１６２１を備えている。
【００８３】
ＢＰＦ１６１、係数回路１６２、リミッタ１６３で構成される第１の左目用エンハンス成分抽出回路１６１８、ＢＰＦ１６４、係数回路１６５、リミッタ１６６で構成される第１の右目用エンハンス成分抽出回路１６１９、ＢＰＦ１６７、係数回路１６８、リミッタ１６９で構成される第２の左目用エンハンス成分抽出回路１６２０、ＢＰＦ１６１０、係数回路１６１１、リミッタ１６１２で構成される第２の右目用エンハンス成分抽出回路１６２１は、図８の左目用エンハンス成分抽出回路８１２や右目用エンハンス成分抽出回路８１３と同等の動作を行うので、詳しい説明は省略する。図１６では、エンハンス回路１５１は、前記第１及び第２の左目用及び右目用の各エンハンス成分抽出回路１６１８〜１６２１が、遅延回路１６１３、加算器１６１４及び３個のセレクタ１６１５、１６１６、１６１７を共用した形で、各々、第１及び第２の左目用及び右目用の各エンハンス手段を構成している。
【００８４】
セレクタ１６１７は、相関検出回路１２１の出力に制御され、相関の高い領域で第１の左目用エンハンス成分抽出回路１６１８の出力、又は第１の右目用エンハンス成分抽出回路１６１９の出力を選択する。信号処理制御回路１１の出力でセレクタ１６１５、１６１６が切り替わるので、結局、左目用映像信号のうち左目と右目の相関の高い領域で第１の左目用エンハンス成分抽出回路１６１８の出力が選択され、右目用映像信号のうち左目と右目の相関の高い領域で第１の右目用エンハンス成分抽出回路１６１９の出力が選択され、加算器１６１４に供給される。同様に、左目用映像信号のうち左目と右目の相関の低い領域で第２の左目用エンハンス成分抽出回路１６２０の出力が選択され、右目用映像信号のうち左目と右目の相関の低い領域で第２の右目用エンハンス成分抽出回路１６２１の出力が選択され、加算器１６１４に供給される。
【００８５】
遅延回路１６１３でタイミングを合わせた後、抽出されたエンハンス成分が加算器１６１４で加算され、所定の信号成分が強調された立体映像信号が出力される。結局、相関検出回路１２１で相関が高いと検出された領域には、左目用映像信号に対しては第１の左目用エンハンス成分抽出回路１６１８によって処理される第１の左目用エンハンス処理が、右目用映像信号に対しては第１の右目用エンハンス成分抽出回路１６１９によって処理される第１の右目用エンハンス処理が施される。相関検出回路１２１で相関が低いと検出された領域には、左目用映像信号に対しては第２の左目用エンハンス成分抽出回路１６２０によって処理される第２の左目用エンハンス処理が、右目用映像信号に対しては第２の右目用エンハンス成分抽出回路１６２１によって処理される第２の右目用エンハンス処理が施される。
【００８６】
ＢＰＦ１６１とＢＰＦ１６４、係数回路１６２と係数回路１６５、リミッタ１６３とリミッタ１６６には同一のものを用いてもよい。その場合、左目用映像信号と右目用映像信号の相関の高い領域では、左右均等に信号成分が強調されるので、立体ではない通常の映像信号にエンハンス処理を行った場合と同等の解像度感の改善効果が得られる。一方、相関の低い領域には、左目用映像信号と右目用映像信号とで各々最適なエンハンス処理が行えるので、左目用映像信号と右目用映像信号との間の不整合を抑圧でき、立体感が損なわれることがない。
【００８７】
勿論、ＢＰＦ１６１とＢＰＦ１６４、係数回路１６２と係数回路１６５、リミッタ１６３とリミッタ１６６は各々異なる特性としてもよい。この場合、例えば鑑賞者の視力に合わせて、視力の低い方の信号成分をより強調するようにすれば、解像度感のバランスが左右で取れ、立体感を向上させるという効果を更に加えることができる。
【００８８】
尚、図１６では、信号処理制御回路１１に制御されたセレクタの後段に相関検出回路１２１に制御されるセレクタを配置したが、この順序を逆にしても効果は同一である。すなわち、相関検出回路１２１で高い相関を検出された領域に対して第１の左目用エンハンス処理を行い、高い相関が検出されなかった領域に対して第２の左目用エンハンス処理を行う。同様に、相関検出回路１２１で高い相関を検出された領域に対して第１の右目用エンハンス処理を行い、高い相関が検出されなかった領域に対して第２の右目用エンハンス処理を行う。両者を信号処理制御回路１１が出力する制御信号で選択すれば、図１６と同等の効果が得られる。つまり、相関検出回路１２１で制御される左目用エンハンス処理と右目用エンハンス処理を設け、両者を信号処理制御回路１１が出力する制御信号で選択することによっても、図１６と同等の効果が得られる。
【００８９】
以上のように、相関検出回路１２１を備えることにより、左目用映像信号と右目用映像信号の各々に最適なエンハンス処理を行うことができ、左目用画像と右目用画像との間で不整合が発生しないので、立体感を損なわずにノイズを低減できる。
【００９０】
尚、信号処理回路１２２は左目用映像信号と右目用映像信号とに異なる処理を施せばよく、上述したノイズリダクション回路１２３やエンハンス回路１５１に限定されないことは言うまでもない。例えば図１７に示すように、ノイズリダクション回路１２３とエンハンス回路１５１の組み合わせても良い。また、例えばＩＰ変換であってもよい。更には、例えば画像の拡大や縮小であってもよい。
【００９１】
以上のように、本実施形態によると、左目用映像信号と右目用映像信号とに異なる処理を施すことができるので、信号処理が最適化でき、ノイズの低減、解像度感、ディテール感、メリハリの向上等が図れると共に、立体感を向上させることもできる。
【００９２】
尚、立体視用眼鏡２０３に液晶シャッターを用いる場合について説明したが、例えば立体視用眼鏡２０３の液晶シャッターの代わりに偏光レンズを用いて、表示器２０１で表示する左目用映像信号と右目用映像信号との偏光を変えることにより、立体視させる方式でもよい。又は、立体視用眼鏡２０３を用いずに、表示器２０１の表面をレンチキラーレンズで覆い、裸眼で立体視させる方式であってもよい。何れにせよ、左目用映像信号と右目用映像信号とを用いて立体視をさせるものであれば、立体表示装置２０５の方式によらず、本発明がそのまま適用できることは明らかである。
【００９３】
（第３の実施形態）
図１８は、本発明の第３の実施形態に係る信号処理装置の構成を示すブロック図である。図１８の信号処理装置は、信号処理制御回路１１と、相関検出回路（相関検出手段）１２１と、信号処理回路（信号処理手段）の一例であるノイズリダクション回路１８１３とを備えている。尚、図１８の信号処理装置の後段に従来の技術の項で説明した立体表示装置２０５を接続することにより立体視が可能となる。従来の技術の項で説明した立体表示装置２０５の説明は省略する。
【００９４】
ノイズリダクション回路１８１３は、ＢＰＦ１８１、１８４、係数回路１８２、１８５、リミッタ１８３、１８６、遅延回路１８７、減算器１８８、セレクタ１８９、１８１０、左目用ノイズ抽出回路１８１１、右目用ノイズ抽出回路１８１２を備えている。信号処理回路１１と相関検出回路１２１は図１２と同一の動作を行うので、詳細な説明を省略する。また左目用ノイズ抽出回路１８１１、右目用ノイズ抽出回路１８１２も図４の左目用ノイズ抽出回路４１２、右目用ノイズ抽出回路４１３と同様の動作を行うので、詳細な説明を省略する。図１８では、左目用ノイズ抽出回路１８１１、遅延回路１８７、減算器１８８及び２個のセレクタ１８９、１８１０により、左目用ノイズリダクション手段が構成され、右目用ノイズ抽出回路１８１２、遅延回路１８７、減算器１８８及び２個のセレクタ１８９、１８１０により、右目用ノイズリダクション手段が構成される。
【００９５】
図１８の構成において、信号処理制御回路１１は、左目用映像信号に信号処理を施すタイミングと、右目用映像信号に信号処理を施すタイミングとを生成し、ノイズリダクション回路１８１３を制御する。また相関検出回路１２１は、左目用映像信号と右目用映像信号の相関を検出し、その検出結果を出力する。ノイズリダクション回路１８１３は、信号処理制御回路１１が出力するタイミングと相関検出回路１２１が出力する検出結果に基づいて、左目用映像信号の信号処理と、右目用映像信号の信号処理を各々行う。
【００９６】
セレクタ１８１０は、相関検出回路１２１の出力に制御され、相関の高い領域で左目用ノイズ抽出回路１８１１の出力、又は右目用ノイズ抽出回路１８１２の出力を選択する。信号処理制御回路１１の出力でセレクタ１８９が切り替わるので、結局、左目用映像信号のうち左目と右目の相関の高い領域で左目用ノイズ抽出回路１８１１の出力が選択され、右目用映像信号のうち左目と右目の相関の高い領域で右目用ノイズ抽出回路１８１２の出力が選択され、減算器１８８に供給される。一方、左目と右目の相関の低い領域では０が選択され、減算器１８８に供給される。
【００９７】
遅延回路１８７でタイミングを合わせた後、抽出されたノイズが減算器１８８で減算され、ノイズを低減された立体映像信号が出力される。結局、相関検出回路１２１で相関が高いと検出された領域には、左目用映像信号に対しては左目用ノイズ抽出回路１８１１によって処理される左目用ノイズリダクション処理が、右目用映像信号に対しては右目用ノイズ抽出回路１８１２によって処理される右目用ノイズリダクション処理が施される。相関検出回路１２１で相関が低いと検出された領域には、セレクタ１８１０で０が選択されるので、ノイズリダクション処理が行われない。
【００９８】
ＢＰＦ１８１とＢＰＦ１８４、係数回路１８２と係数回路１８５、リミッタ１８３とリミッタ１８６には同一のものを用いてもよい。その場合、左目用映像信号と右目用映像信号の相関の高い領域には、左右均等にノイズが低減されるので、立体ではない通常の映像信号にノイズリダクション処理を行った場合と同等のノイズ改善効果が得られる。一方、相関の低い領域には、左目用映像信号と右目用映像信号とにノイズリダクション処理が行われないので、左目用映像信号と右目用映像信号との間の不整合が発生せず、立体感が損なわれることがない。
【００９９】
勿論、ＢＰＦ１８１とＢＰＦ１８４、係数回路１８２と係数回路１８５、リミッタ１８３とリミッタ１８６は各々異なる特性としてもよい。この場合、例えば鑑賞者の視力に合わせて、視力の高い方のノイズをより低減するようにすれば、ノイズ感のバランスが左右で取れ、立体感を向上させるという効果を更に加えることができる。
【０１００】
尚、図１８では、信号処理制御回路１１に制御されたセレクタ１８９の後段に相関検出回路１２１に制御されるセレクタ１８１０を配置したが、この順序を逆にしても効果は同一である。すなわち、相関検出回路１２１で高い相関を検出された領域に対して左目用ノイズ抽出処理を行い、高い相関が検出されなかった領域に対しては何も行わない。同様に、相関検出回路１２１で高い相関を検出された領域に対して右目用ノイズ抽出処理を行い、高い相関が検出されなかった領域に対しては何も行わない。両者を信号処理制御回路１１が出力する制御信号で選択すれば、図１８と同等の効果が得られる。
【０１０１】
以上のように、相関検出回路１２１を備えることにより、左目用映像信号と右目用映像信号の各々に最適なノイズリダクション処理を行うことができ、左目用画像と右目用画像との間で不整合が発生しないので、立体感を損なわずにノイズを低減できる。
【０１０２】
図１９の信号処理装置は、信号処理制御回路１１と、相関検出回路１２１と、信号処理回路の一例であるエンハンス回路１９１３とを備えている。エンハンス回路１９１３は、ＢＰＦ１９１、１９４、係数回路１９２、１９５、リミッタ１９３、１９６、遅延回路１９７、加算器１９８、セレクタ１９９、１９１０、左目用エンハンス成分抽出回路１９１１、右目用エンハンス成分抽出回路１９１２を備えている。信号処理回路１１と相関検出回路１２１は図１２と同一の動作を行うので、詳細な説明を省略する。また、左目用エンハンス成分抽出回路１９１１、右目用エンハンス成分抽出回路１９１２も図８の左目用エンハンス成分抽出回路８１２、右目用エンハンス成分抽出回路８１３と同様の動作を行うので、詳細な説明を省略する。図１９では、左目用エンハンス成分抽出回路１９１１、遅延回路１９７、減算器１９８及び２個のセレクタ１９９、１９１０により、左目用エンハンス手段が構成され、右目用エンハンス成分抽出回路１９１２、遅延回路１９７、減算器１９８及び２個のセレクタ１９９、１９１０により、右目用エンハンス手段が構成される。
【０１０３】
セレクタ１９１０は、相関検出回路１２１の出力により制御され、相関の高い領域で左目用エンハンス成分抽出回路１９１１の出力、又は右目用エンハンス成分抽出回路１９１２の出力を選択する。信号処理制御回路１１の出力でセレクタ１９９が切り替わるので、結局、左目用映像信号のうち左目と右目の相関の高い領域で第１の左目用エンハンス成分抽出回路１９１１の出力が選択され、右目用映像信号のうち左目と右目の相関の高い領域で右目用エンハンス成分抽出回路１９２の出力が選択され、加算器１９８に供給される。一方、左目と右目の相関の低い領域では０が選択され、加算器１９８に供給される。
【０１０４】
遅延回路１９７でタイミングを合わせた後、抽出されたエンハンス成分が加算器１９８で加算され、所定の信号成分が強調された立体映像信号が出力される。結局、相関検出回路１２１で相関が高いと検出された領域には、左目用映像信号に対しては左目用エンハンス成分抽出回路１９１１によって処理される左目用エンハンス処理が、右目用映像信号に対しては右目用エンハンス成分抽出回路１９１２によって処理される右目用エンハンス処理が施される。相関検出回路１２１で相関が低いと検出された領域には、セレクタ１９１０で０が選択されるので、エンハンス処理が行われない。
【０１０５】
ＢＰＦ１９１とＢＰＦ１９４、係数回路１９２と係数回路１９５、リミッタ１９３とリミッタ１９６には同一のものを用いてもよい。その場合、左目用映像信号と右目用映像信号の相関の高い領域には、左右均等に信号成分が強調されるので、立体ではない通常の映像信号にエンハンス処理を行った場合と同等の解像度感、ディテール感、メリハリ感の改善効果が得られる。一方、相関の低い領域には、左目用映像信号と右目用映像信号とにエンハンス処理が行われないので、左目用映像信号と右目用映像信号との間の不整合が発生せず、立体感が損なわれることがない。
【０１０６】
勿論、ＢＰＦ１９１とＢＰＦ１９４、係数回路１９２と係数回路１９５、リミッタ１９３とリミッタ１９６は各々異なる特性としてもよい。この場合、例えば鑑賞者の視力に合わせて、視力の低い方の信号成分をより強調するようにすれば、解像度感のバランスが左右で取れ、立体感を向上させるという効果を更に加えることができる。
【０１０７】
尚、図１９では、信号処理制御回路１１に制御されたセレクタ１９９の後段に相関検出回路１２１に制御されるセレクタ１９１０を配置したが、この順序を逆にしても効果は同一である。すなわち、相関検出回路１２１で高い相関を検出された領域に対して左目用エンハンス成分抽出処理を行い、高い相関が検出されなかった領域に対しては何も行わない。同様に、相関検出回路１２１で高い相関を検出された領域に対して右目用エンハンス成分抽出処理を行い、高い相関が検出されなかった領域に対しては何も行わない。両者を信号処理制御回路１１が出力する制御信号で選択すれば、図１９と同等の効果が得られる。
【０１０８】
尚、信号処理回路１２２は左目用映像信号と右目用映像信号とに異なる処理を施せばよく、上述したノイズリダクション回路１２３やエンハンス回路１５１に限定されないことは言うまでもない。例えばノイズリダクション回路１２３とエンハンス回路１５１の組み合わせであっても良い。
【０１０９】
以上のように、相関検出回路１２１を備えることにより、左目用映像信号と右目用映像信号の各々に最適なエンハンス処理を行うことができ、左目用画像と右目用画像との間で不整合が発生しないので、立体感を損なわずに解像度感、ディテール感、メリハリ感を向上させることができる。
【０１１０】
尚、立体視用眼鏡２０３に液晶シャッターを用いる場合について説明したが、例えば立体視用眼鏡２０３の液晶シャッターの代わりに偏光レンズを用いて、表示器２０１で表示する左目用映像信号と右目用映像信号との偏光を変えることにより、立体視させる方式でもよい。又は、立体視用眼鏡２０３を用いずに、表示器２０１の表面をレンチキラーレンズで覆い、裸眼で立体視させる方式であってもよい。何れにせよ、左目用映像信号と右目用映像信号とを用いて立体視をさせるものであれば、立体表示装置２０５の方式によらず、本発明がそのまま適用できることは明らかである。
【産業上の利用可能性】
【０１１１】
以上説明したように、本発明によれば、立体映像信号の表示に際して、左目用画像と右目用画像との間の不整合を抑制して、立体感を損なうことがないようにしたので、立体映像表示時の画質向上に有効である。
【符号の説明】
【０１１２】
１１                       信号処理制御回路（信号処理制御手段）
１２                       信号処理回路（信号処理手段）
１３                       信号処理装置
３１、１２３               ノイズリダクション回路
７１、１５１               エンハンス回路
１２１                     相関検出回路（相関検出手段）
１２２                     信号処理回路（信号処理手段）
１８７、１９７             遅延回路
１８８                     減算器
１８９                     セレクタ
１９８                     加算器
２０１                     表示器
２０２                     駆動回路
２０３                     立体視用眼鏡
２０５                     立体表示装置
４１４                     左目用ノイズリダクション回路
（左目用ノイズリダクション手段）
４１５                      右目用ノイズリダクション回路
（右目用ノイズリダクション手段）
８１４                      左目用エンハンス回路（左目用エンハンス手段）
８１５                      右目用エンハンス回路（右目用エンハンス手段）
１３１３、１６１３          遅延回路
１３１４                    減算器
１６１４                    加算器
１３１５〜１３１７、
１６１５〜１６１７     セレクタ
１３１８                    第１の左目用ノイズ抽出回路
１３１９                    第１の右目用ノイズ抽出回路
１３２０                    第２の左目用ノイズ抽出回路
１３２１                    第２の右目用ノイズ抽出回路
１６１８                    第１の左目用エンハンス成分抽出回路
１６１９                    第１の右目用エンハンス成分抽出回路
１６２０                    第２の左目用エンハンス成分抽出回路
１６２１                    第２の右目用エンハンス成分抽出回路
１８１０                    セレクタ
１８１１                    左目用ノイズ抽出回路
１８１２                    右目用ノイズ抽出回路
１９１１                    左目用エンハンス成分抽出回路
１９１２                    右目用エンハンス成分抽出回路
【図１】
2010050084.tif 000003
【図２】
2010050084.tif 000004
【図３】
2010050084.tif 000005
【図４】
2010050084.tif 000006
【図５】
2010050084.tif 000007
【図６】
2010050084.tif 000008
【図７】
2010050084.tif 000009
【図８】
2010050084.tif 000010
【図９】
2010050084.tif 000011
【図１０】
2010050084.tif 000012
【図１１】
2010050084.tif 000013
【図１２】
2010050084.tif 000014
【図１３】
2010050084.tif 000015
【図１４】
2010050084.tif 000016
【図１５】
2010050084.tif 000017
【図１６】
2010050084.tif 000018
【図１７】
2010050084.tif 000019
【図１８】
2010050084.tif 000020
【図１９】
2010050084.tif 000021
【図２０】
2010050084.tif 000022
【図２１】
2010050084.tif 000023
【手続補正書】
【提出日】平成22年11月29日(2010.11.29)
【手続補正１】
【補正対象書類名】明細書
【補正対象項目名】全文
【補正方法】変更
【補正の内容】
【発明の詳細な説明】
【技術分野】
【０００１】
本発明は、左目用の画像と右目用の画像を用いて立体表示を行う際の信号処理に関する。
【背景技術】
【０００２】
従来より、左目用の画像と右目用の画像とを用いて、立体として認識させる方法が広く知られている。特許文献１には、左目用の画像と右目用の画像とを用意し、専用の眼鏡を用いて立体視させる方法が開示されている。
【０００３】
図２０は従来の構成例を示すブロック図である。図２０において、２０１は表示器、２０２は駆動回路、２０３は立体視用眼鏡、２０４は立体映像信号入力端子、２０５は立体表示装置である。表示器２０１の一例としては、プラズマディスプレイや液晶ディスプレイ等がある。
【０００４】
立体映像信号入力端子２０４から入力される立体映像信号は、左目用映像信号と右目用映像信号から構成される。例えば、左目用映像信号と右目用映像信号は１フィールド毎に交互に多重されている。駆動回路２０２は、立体映像信号より左目用映像信号と右目用映像信号を区別するための駆動信号を分離する。
【０００５】
図２１に立体映像信号と左目用映像信号、右目用映像信号及び駆動信号との関係を示す。駆動信号は例えば左目用映像信号の時に０、右目用映像信号の時に１となる信号である。例えば左目用映像信号を偶数フィールドに、右目用映像信号を奇数フィールドに多重しておけば、立体映像信号をフィールド判別することにより、駆動信号を得ることができる。
【０００６】
立体視用眼鏡２０３には、眼鏡のレンズに相当する箇所に例えば液晶シャッターが設けられており、駆動信号によって液晶シャッターがオン・オフされる。すなわち、左目用映像信号の場合は左目側の液晶シャッターが透過状態になり、右目側の液晶シャッターが遮断状態になる。つまり左目用映像信号を左目で見ることになる。逆に、右目用映像信号の場合は右目側の液晶シャッターが透過状態になり、左目側の液晶シャッターが遮断状態になる。つまり右目用映像信号を右目で見ることになる。
【０００７】
表示器２０１には１フィールド毎交互に、例えば図２１に示した左目用映像信号に基づく左目用画像と右目用映像信号に基づく右目用画像が表示されている。左目用画像は左目のみで見た場合の画像であり、右目用画像は右目のみで見た場合の画像であって、左目と右目の視差の分だけずれたような画像になっている。これと立体視用眼鏡２０３とを組み合わせることにより、立体として認識できるようになる。
【先行技術文献】
【特許文献】
【０００８】
【特許文献１】特開昭６１−２２７４９８号公報
【発明の概要】
【発明が解決しようとする課題】
【０００９】
上述のような従来の装置を用いれば、映像を立体視することができる。しかしながら、近年のＡＶ機器の進歩は急激に進んでおり、画質の更なる向上を実現する技術が常に必要とされている。
【００１０】
従来より、画質を改善する手法として、ノイズ成分を低減する手法（以下、ノイズリダクションと呼ぶ）や、細部までくっきり表示させるために解像度感やディテール感、メリハリを向上させる手法（以下、エンハンスと呼ぶ）等が知られている。ところが、立体映像信号に対してノイズリダクションやエンハンス等の信号処理を行うと、左目用画像と右目用画像の間で不整合が起こり、かえって画質を低下させる、という問題が新たに判った。
【００１１】
例えば、図２１において左目と右目で同じように見えるＬ１点とＲ１点に対して、ノイズリダクションやエンハンス等を行っても弊害は発生しない。ところが、左目と右目で同じように見えない箇所、例えば図のＬ２点とＲ２点のように立体の奥行きにあたる箇所や左目で見ると陰になり右目でしか見えないような箇所に対してノイズリダクションやエンハンス等を行うと、左目用画像と右目用画像の間で不整合が発生し、かえってノイズ感が増したり、立体感を喪失する、という問題が生じる。
【００１２】
前記の問題に鑑み、本発明は、立体映像信号に対して正しくノイズリダクションやエンハンス等の信号処理を行うことができる信号処理装置を提供することを目的とする。
【課題を解決するための手段】
【００１３】
本発明は、左目用映像信号と右目用映像信号とから成る立体映像信号を処理する信号処理装置において、左目用映像信号と右目用映像信号とに相互に異なる信号処理を施したり、不整合の発生する可能性のある領域を信号処理から排除することとする。
【００１４】
具体的に、請求項１記載の発明の信号処理装置は、左目用映像信号と右目用映像信号とから成る立体映像信号を処理する信号処理装置であって、前記立体映像信号より前記左目用映像信号を処理するタイミングと前記右目用映像信号を処理するタイミングとから成る制御信号を出力する信号処理制御手段と、前記信号処理制御手段の制御信号に基づいて、前記左目用映像信号と前記右目用映像信号とに各々異なる信号処理を施す信号処理手段とから構成されることを特徴とする。
【００１５】
請求項２記載の発明は、前記請求項１記載の信号処理装置において、前記信号処理手段は、前記左目用映像信号のノイズ成分を低減する左目用ノイズリダクション手段と、前記右目用映像信号のノイズ成分を低減する右目用ノイズリダクション手段とを備えることを特徴とする。
【００１６】
請求項３記載の発明は、前記請求項１記載の信号処理装置において、前記信号処理手段は、前記左目用映像信号の所定の信号成分を強調する左目用エンハンス手段と、前記右目用映像信号の所定の信号成分を強調する右目用エンハンス手段とを備えることを特徴とする。
【００１７】
請求項４記載の発明の信号処理装置は、左目用映像信号と右目用映像信号とから成る立体映像信号を処理する信号処理装置であって、前記立体映像信号より前記左目用映像信号を処理するタイミングと前記右目用映像信号を処理するタイミングとから成る制御信号を出力する信号処理制御手段と、前記左目用映像信号と前記右目用映像信号の相関を検出し、その検出結果を出力する相関検出手段と、前記信号処理制御手段の制御信号と前記相関検出手段の検出結果とに基づいて、前記左目用映像信号と前記右目用映像信号とに各々異なる信号処理を施す信号処理手段とから構成されることを特徴とする。
【００１８】
請求項５記載の発明は、前記請求項４記載の信号処理装置において、前記相関検出手段は、前記左目用映像信号と前記右目用映像信号との何れか一方を所定の時間遅延させ差分をとって相関を検出し、前記検出結果を出力することを特徴とする。
【００１９】
請求項６記載の発明は、前記請求項４及び５の何れか１項に記載の信号処理装置において、前記信号処理手段は、前記左目用映像信号のノイズ成分を低減する左目用ノイズリダクション手段と、前記右目用映像信号のノイズ成分を低減する右目用ノイズリダクション手段とを備えることを特徴とする。
【００２０】
請求項７記載の発明は、前記請求項４及び５の何れか１項に記載の信号処理装置において、前記信号処理手段は、前記左目用映像信号の所定の信号成分を強調する左目用エンハンス手段と、前記右目用映像信号の所定の信号成分を強調する右目用エンハンス手段とを備えることを特徴とする。
【００２１】
請求項８記載の発明は、前記請求項４及び５の何れか１項に記載の信号処理装置において、前記信号処理手段は、前記相関検出手段が高い相関を検出した領域に対して前記左目用映像信号と前記右目用映像信号とに第１の信号処理を施し、前記相関検出手段が高い相関を検出しなかった領域に対して前記左目用映像信号と前記右目用映像信号とに第２の信号処理を施すことを特徴とする。
【００２２】
請求項９記載の発明は、前記請求項８記載の信号処理装置において、前記信号処理手段は、前記相関検出手段が高い相関を検出した領域に対して前記左目用映像信号のノイズ成分を低減する第１の左目用ノイズリダクション手段と、前記相関検出手段が高い相関を検出した領域に対して前記右目用映像信号のノイズ成分を低減する第１の右目用ノイズリダクション手段と、前記相関検出手段が高い相関を検出しなかった領域に対して前記左目用映像信号のノイズ成分を低減する第２の左目用ノイズリダクション手段と、前記相関検出手段が高い相関を検出しなかった領域に対して前記右目用映像信号のノイズ成分を低減する第２の右目用ノイズリダクション手段とから構成されることを特徴とする。
【００２３】
請求項１０記載の発明は、前記請求項８記載の信号処理装置において、前記信号処理手段は、前記相関検出手段が高い相関を検出した領域に対して前記左目用映像信号の所定の信号成分を強調する第１の左目用エンハンス手段と、前記相関検出手段が高い相関を検出した領域に対して前記右目用映像信号の所定の信号成分を強調する第１の右目用エンハンス手段と、前記相関検出手段が高い相関を検出しなかった領域に対して前記左目用映像信号の所定の信号成分を強調する第２の左目用エンハンス手段と、前記相関検出手段が高い相関を検出しなかった領域に対して前記右目用映像信号の所定の信号成分を強調する第２の右目用エンハンス手段とから構成されることを特徴とする。
【００２４】
請求項１１記載の発明の信号処理装置は、左目用映像信号と右目用映像信号とから成る立体映像信号を処理する信号処理装置であって、前記左目用映像信号と前記右目用映像信号との相関を検出し、その検出結果を出力する相関検出手段と、前記左目用映像信号と前記右目用映像信号との高い相関が検出された領域に対して前記左目用映像信号と前記右目用映像信号とに信号処理を施し、前記相関検出手段が高い相関を検出しなかった領域に対して前記左目用映像信号と前記右目用映像信号とに信号処理を施さない信号処理手段とから構成されることを特徴とする。
【００２５】
請求項１２記載の発明は、前記請求項１１記載の信号処理装置において、前記相関検出手段は、前記左目用映像信号と前記右目用映像信号の何れか一方を所定の時間遅延させ差分をとって相関を検出し、前記検出結果を出力することを特徴とする。
【００２６】
請求項１３記載の発明は、前記請求項１１及び１２の何れか１項に記載の信号処理装置において、前記信号処理手段は、前記左目用映像信号のうち高い相関が検出された領域に対してノイズ成分を低減する左目用ノイズリダクション手段と、前記右目用映像信号のうち高い相関が検出された領域に対してノイズ成分を低減する右目用ノイズリダクション手段とを備えることを特徴とする。
【００２７】
請求項１４記載の発明は、前記請求項１１及び１２の何れか１項に記載の信号処理装置において、前記信号処理手段は、前記左目用映像信号のうち高い相関が検出された領域に対して所定の信号成分を強調する左目用エンハンス手段と、前記右目用映像信号のうち高い相関が検出された領域に対して所定の信号成分を強調する右目用エンハンス手段とを備えることを特徴とする。
【００２８】
以上により、請求項１〜１４記載の発明では、左目用映像信号の処理時や右目用映像信号の処理時、又は、左目用映像信号と右目用映像信号との相関が低い際には、左目用映像信号と右目用映像信号とに各々最適な信号処理が施されたり、不整合の発生する可能性のある領域を信号処理から排除できるので、左目用画像と右目用画像との間の不整合を抑制でき、立体感を損なうことがない。
【発明の効果】
【００２９】
以上説明したように、請求項１〜１４記載の発明の信号処理装置によれば、左目用映像信号と右目用映像信号とに各々最適な信号処理を施したり、不整合の発生する可能性のある領域を信号処理から排除して、左目用画像と右目用画像との間の不整合を抑制し、立体感を損なうことがないようにしたので、立体映像信号に対して正しく信号処理を行うことができ、高画質な立体表示が可能である。
【図面の簡単な説明】
【００３０】
【図１】本発明の第１の実施形態に係る信号処理装置の全体構成を示すブロック図である。
【図２】（ａ）はフィールド単位で多重された立体映像信号を説明する図、同図（ｂ）はライン単位で多重された立体映像信号を説明する図、同図（ｃ）は画素単位で多重された立体映像信号を説明する図である。
【図３】同信号処理回路の内部構成例を示すブロック図である。
【図４】同信号処理回路を構成するノイズリダクション回路の具体的構成例を示すブロック図である。
【図５】同ノイズリダクション回路の第２の具体的構成例を示すブロック図である。
【図６】同ノイズリダクション回路の第３の具体的構成例を示すブロック図である。
【図７】同信号処理回路の第２の内部構成例を示すブロック図である。
【図８】同信号処理回路であるエンハンス回路の具体的構成例を示すブロック図である。
【図９】同エンハンス回路の第２の具体的構成例を示すブロック図である。
【図１０】同エンハンス回路の第３の具体的構成例を示すブロック図である。
【図１１】同信号処理装置の第３の内部構成例を示すブロック図である。
【図１２】本発明の第２の実施形態に係る信号処理装置の全体構成を示すブロック図である。
【図１３】同信号処理装置に備える信号処理回路であるノイズリダクション回路の具体的構成例を示すブロック図である。
【図１４】同信号処理装置に備える相関検出回路の具体的構成例を示すブロック図である。
【図１５】同信号処理回路の第２の内部構成例を示すブロック図である。
【図１６】同信号処理回路であるエンハンス回路の具体的構成例を示すブロック図である。
【図１７】同信号処理回路の第３の構成例を示すブロック図である。
【図１８】本発明の第３の実施形態に係る信号処理装置の全体構成例を示すブロック図である。
【図１９】同信号処理装置の第２の全体構成例を示すブロック図である。
【図２０】従来の立体表示装置の構成例である。
【図２１】立体映像信号を説明する図である。
【発明を実施するための形態】
【００３１】
以下、本発明の実施形態について、図面を用いて説明する。
【００３２】
（第１の実施形態）
図１は本発明の第１の実施形態に係る信号処理装置の構成を示すブロック図である。図１の信号処理装置１３は、信号処理制御回路１１と、信号処理回路１２とを備えている。また信号処理装置１３には、従来の技術の項で説明した立体表示装置２０５が接続されている。図２０と同一の動作を行うものは同じ符号を付した。従来の技術の項で説明した立体表示装置２０５の説明は省略する。
【００３３】
一般的には、立体視用眼鏡２０３を除く立体表示装置２０５と信号処理装置１３は１つの筐体、例えばプラズマテレビや液晶テレビに納められる。又は、立体視用眼鏡２０３を除く立体表示装置２０５が１つの筐体、例えばプラズマテレビや液晶テレビに納められ、信号処理装置１３が１つの筐体、例えばＤＶＤプレーヤやＤＶＤレコーダに納められ、両者がＤＶＩ（Digital Visual Interface）やＨＤＭＩ（High-Definition Multimedia Interface）といったデジタルインターフェースで接続される。
【００３４】
図１の構成において、信号処理制御回路（信号処理制御手段）１１は、左目用映像信号に信号処理を施すタイミングと、右目用映像信号に信号処理を施すタイミングとを生成し、信号処理回路１２を制御する。信号処理回路（信号処理手段）１２は、このタイミングに基づいて、左目用映像信号の信号処理と、右目用映像信号の信号処理を各々行う。
【００３５】
入力立体映像信号には、左目用映像信号と右目用映像信号が多重されている。左目用映像信号と右目用映像信号の多重方法には、従来より様々な方法が提案されているが、代表的な例として、１フィールド毎、１ライン毎、１画素毎に多重する場合を図２（ａ）〜（ｃ）に各々示す。
【００３６】
図２（ａ）は、左目用映像信号（Ｌ）と右目用映像信号（Ｒ）を１フィールド毎に多重する例である。信号処理制御回路１１は、入力立体映像信号より左目用映像信号（Ｌ）のフィールドの時に０、右目用映像信号（Ｒ）のフィールドの時に１となる制御信号を出力する。例えば左目用映像信号を偶数フィールドに、右目用映像信号を奇数フィールドに多重しておけば、信号処理制御回路１１が立体映像信号のフィールドを判別することにより、このような制御信号を得ることができる。又は、入力立体映像信号の帰線期間中に左目用映像信号（Ｌ）か右目用映像信号（Ｒ）かを区別する信号を多重し、信号処理制御回路１１がこの信号を分離して制御信号を出力する構成としてもよい。
【００３７】
図２（ｂ）は、左目用映像信号（Ｌ）と右目用映像信号（Ｒ）を１ライン毎に多重する例である。信号処理制御回路１１は、入力立体映像信号より左目用映像信号（Ｌ）のラインの時に０、右目用映像信号（Ｒ）のラインの時に１となる制御信号を出力する。例えば左目用映像信号を奇数ラインに、右目用映像信号を偶数ラインに多重しておけば、信号処理制御回路１１が立体映像信号の何ライン目かを判別することにより、このような制御信号を得ることができる。又は、入力立体映像信号の水平帰線期間中に左目用映像信号（Ｌ）か右目用映像信号（Ｒ）かを区別する信号を多重し、信号処理制御回路１１がこの信号を分離して制御信号を出力する構成としてもよい。
【００３８】
図２（ｃ）は、左目用映像信号（Ｌ）と右目用映像信号（Ｒ）を１画素毎に多重する例である。信号処理制御回路１１は、入力立体映像信号より左目用映像信号（Ｌ）の画素の時に０、右目用映像信号（Ｒ）の画素の時に１となる制御信号を出力する。例えば左目用映像信号を奇数番目の画素に、右目用映像信号を偶数番目の画素に多重しておけば、信号処理制御回路１１が立体映像信号の何画素目かを判別することにより、このような制御信号を得ることができる。
【００３９】
前記従来の技術の説明では、図２（ａ）のように左目用映像信号と右目用映像信号がフィールド毎に多重されている場合について立体表示装置２０５の動作を説明したが、図２（ｂ）や同図（ｃ）の場合も左目用画像と右目用画像を表示器２０１に交互に表示し、これを立体視用眼鏡２０３で鑑賞する点は同様である。但し、図２（ｂ）ではライン毎に、図２（ｃ）では画素毎に左目用映像信号と右目用映像信号が多重されているので、１画面分のメモリを用意し、このメモリを用いて左目用画像と右目用画像を再現した後に表示する点が異なる。
【００４０】
図２（ａ）、図２（ｂ）、図２（ｃ）に示した以外にも、フレーム毎に交互に多重する方法や、１ラインの左側と右側で多重する方法等があるが、何れにしても信号処理制御回路１１は、左目用映像信号と右目用映像信号を区別できる制御信号を生成し出力する。
【００４１】
図３に信号処理回路１２の具体例を示す。図３において、３１はノイズリダクション回路であって、信号処理回路１２でノイズを低減する例を示した。
【００４２】
ノイズリダクション回路３１は、信号処理制御回路１１より制御信号を受け、左目用映像信号と右目用映像信号に異なるノイズリダクション処理を施す。ノイズリダクション回路３１の具体的な構成例を図４に示す。図４において４１、４６はバンドパスフィルター（以下、ＢＰＦと呼ぶ）、４２、４７は係数回路、４３、４８はリミッタ、４４、４９は遅延回路、４５、４１０は減算器、４１１はセレクタ、４１２は左目用ノイズ抽出回路、４１３は右目用ノイズ抽出回路、４１４は左目用ノイズリダクション回路（左目用ノイズリダクション手段）、４１５は右目用ノイズリダクション回路（右目用ノイズリダクション手段）である。
【００４３】
ＢＰＦ４１は、左目用映像信号のノイズ帯域を考慮して、その周波数帯域が選択される。例えば、低域のノイズを抽出する時は、ＢＰＦ４１はローパスフィルターと等価になる。逆に高周波のノイズを抽出する時は、ＢＰＦ４１はハイパスフィルターと等価になる。視覚的にノイズ成分として目立つ３〜４ＭＨｚ付近のノイズを抽出する時は、３〜４ＭＨｚ付近にピークを持つバンドパスフィルターと等価になる。何れにせよＢＰＦ４１は、左目用映像信号のノイズ帯域を考慮して、その周波数特性が決定される。
【００４４】
係数回路４２は、ＢＰＦ４１の出力に定数を乗算するものであり、抽出するノイズ量を決定する。通常、この定数は１以下であり、ＢＰＦ４１で抽出されたノイズ量のうち何パーセントをノイズとして見なすかを決定する。リミッタ４３は、抽出するノイズ量の上限を設定するものであり、ある一定値より大きなノイズをノイズではなく信号として処理するためのものである。係数回路４２とリミッタ４３を組み合わせることにより、必要な信号はそのまま残し、ノイズ成分のみを抽出する効果がある。
【００４５】
遅延回路４４で左目用ノイズ抽出回路４１２の処理遅延時間と同じだけ入力立体映像信号が遅延され、タイミングが合った状態で、減算器４５で入力立体映像信号より抽出されたノイズ成分が減算される。すなわち、左目用映像信号のノイズ成分が低減される。
【００４６】
右目用ノイズ抽出回路４１３のＢＰＦ４６、係数回路４７、リミッタ４８、遅延回路４９、減算器４１０の動作は、ＢＰＦ４１、係数回路４２、リミッタ４３、遅延回路４４、減算器４５の動作と同一である。但し、ＢＰＦ４６の帯域、係数回路４７の定数、リミッタ４８の上限は右目用映像信号に最適化されており、左目用ノイズ抽出回路４１２のそれとは異なる。
【００４７】
以上のようにして、左目用ノイズリダクション回路４１４では左目用に最適化されてノイズ成分が低減され、右目用ノイズリダクション回路４１５では右目用に最適化されてノイズ成分が低減される。セレクタ４１１では、信号処理制御回路１１からの制御信号により、左目用映像信号の時には左目用ノイズリダクション回路４１４の出力が選択され、右目用映像信号の時には右目用ノイズリダクション回路４１５の出力が選択されて、出力される。すなわち、入力立体映像信号のノイズ成分が低減され、かつその低減量は左目用映像信号と右目用映像信号とで最適化されている。
【００４８】
以上のように、信号処理回路１２にノイズリダクション回路３１を用いることにより、左目用映像信号と右目用映像信号とに最適化した状態でノイズ成分を低減できる。例えば鑑賞者の視力に合わせて、視力の高い方のノイズをより低減するようにすれば、ノイズ感のバランスが左右で取れ、立体感を向上させることができる。
【００４９】
図４の構成は、図５の構成としてもよい。図５において、５１は遅延回路、５２は減算器、５３はセレクタである。図４と同じ動作をするものについては同じ符号を付した。図５の構成では、図４の遅延回路４４と遅延回路４９を遅延回路５１により共用化し、減算器４５と減算器４１０を減算器５２により共用化している。このような構成をとることにより、図４に比べて回路規模が減少し、信号処理回路１２を安価に構成できる。
【００５０】
図４、図５にはノイズリダクション回路３１の一例を示したが、図６のような構成方法も広く知られている。図６において、６１は遅延回路、６２は減算器である。図４、図５と同一の動作を示すものは同一の符号を付した。
【００５１】
遅延回路６１は、ラインメモリやフレームメモリである。減算器６２で遅延回路６１との差分を取ることにより、ライン間相関やフレーム間相関を取ることができる。例えば図２（ａ）のようにフィールド毎に左目用映像信号と右目用映像信号が多重されている場合、遅延回路６１の遅延量は１フレームであって、左目用映像信号同士のフレーム間相関、右目用映像信号同士のフレーム間相関を取ることができる。一般に映像信号の性質として、通常の映像信号はライン相関やフレーム相関が高いが、ノイズ成分は相関が低いことが知られている。この性質を利用して、遅延回路６１と減算器６２とにより、ライン間相関又はフレーム間相関の低い領域を抽出する。これらの領域に対して図５と同一のノイズリダクション処理を行うことにより、より一層高精度にノイズ成分を低減することができる。
【００５２】
前記図４、図５及び図６には、ノイズリダクション回路３１の一例を示したが、複数ラインの相関を用いる方式やフィールド間の相関を用いる方式、それらを組み合わせる方式等、ノイズを低減する回路であれば、どのようなものでもよい。要するに、制御信号に基づいて左目用映像信号と右目用映像信号とに各々最適なノイズリダクションを施せれば、どのような方式でも図４、図５、図６と同様の効果がある。
【００５３】
図７に、信号処理回路１２の別の具体例として、解像度感やディテール感、メリハリを向上させる例を示した。図７において、７１はエンハンス回路である。エンハンス回路７１は、信号処理制御回路１１が出力する制御信号のタイミングに基づいて、左目用映像信号の特定信号成分の強調処理（以下、エンハンス処理と呼ぶ）と、右目用映像信号のエンハンス処理を各々行う。
【００５４】
エンハンス回路７１の具体的な構成例を図８に示す。図８において８１、８６はＢＰＦ、８２、８７は係数回路、８３、８８はリミッタ、８４、８９は遅延回路、８５、８１０は加算器、８１１はセレクタ、８１２は左目用エンハンス成分抽出回路、８１３は右目用エンハンス成分抽出回路、８１４は左目用エンハンス回路（左目用エンハンス手段）、８１５は右目用エンハンス回路（右目用エンハンス手段）である。
【００５５】
ＢＰＦ８１は、左目用映像信号の強調したい信号成分を考慮して、その周波数帯域が選択される。一般に映像信号の特質として、高周波成分を強調すると解像度感やディテール感が向上し、視覚的に目立つ３〜４ＭＨｚ付近を強調するとメリハリが向上する。例えば、解像度感やディテール感を向上させる時は、高周波成分を強調するためにＢＰＦ８１はハイパスフィルターと等価になる。画像にメリハリをつける時は、３〜４ＭＨｚ付近にピークを持つバンドパスフィルターと等価になる。何れにせよＢＰＦ８１は、左目用映像信号の強調したい信号成分を考慮して、その周波数特性が決定される。
【００５６】
係数回路８２は、ＢＰＦ８１の出力に定数を乗算するものであり、映像信号を強調する量（以下、エンハンス量と呼ぶ）を決定する。通常、この定数は１以下であり、ＢＰＦ８１で抽出されたエンハンス量のうち何パーセントを実際のエンハンス量とするかを決定する。リミッタ８３は、エンハンス量の上限を設定するものであり、強調し過ぎることによりノイズ成分までもが強調されノイズ感が逆に増すことを回避するためのものである。係数回路８２とリミッタ８３を組み合わせることにより、必要な信号成分のみを強調する効果がある。
【００５７】
遅延回路８４で左目用エンハンス成分抽出回路８１２の処理遅延時間と同じだけ入力立体映像信号が遅延され、タイミングが合った状態で、加算器８５で入力立体映像信号に抽出されたエンハンス成分が加算される。すなわち、入力立体映像信号にエンハンス成分が加算され、かつその加算量は左目用映像信号に最適化されている。
【００５８】
右目用エンハンス成分抽出回路８１３のＢＰＦ８６、係数回路８７、リミッタ８８、遅延回路８９、加算器８１０の動作は、ＢＰＦ８１、係数回路８２、リミッタ８３、遅延回路８４、加算器８５の動作と同一である。但し、ＢＰＦ８６の帯域、係数回路８７の定数、リミッタ８８の上限は右目用映像信号に最適化されており、左目用エンハンス成分抽出回路８１２のそれとは異なる。
【００５９】
以上のようにして、左目用エンハンス回路８１４では左目用に最適化されたエンハンス成分が加算され、右目用エンハンス回路８１５では右目用に最適化されたエンハンス成分が加算される。セレクタ８１１では、信号処理制御回路１１からの制御信号により、左目用映像信号の時には左目用エンハンス回路８１４の出力が選択され、右目用映像信号の時に右目用エンハンス回路８１５の出力が選択されて、出力される。すなわち、入力立体映像信号にエンハンス成分が加算され、かつそのエンハンス量は左目用映像信号と右目用映像信号とで最適化されている。
【００６０】
以上のように、信号処理回路１２にエンハンス回路７１を用いることにより、左目用映像信号と右目用映像信号とに最適化した状態でエンハンス成分を加算できる、すなわち解像度感やディテール感を向上させたり、メリハリを向上させたりできる。例えば鑑賞者の視力に合わせて、視力の低い方の解像度感をより強調するようにすれば、解像度感のバランスが左右で取れ、立体感を向上させることができる。
【００６１】
図８の構成は、図９の構成としてもよい。図９において、９１は遅延回路、９２は加算器、９３はセレクタである。図８と同じ動作をするものについては同じ符号を付した。図９の構成では、図８の遅延回路８４と遅延回路８９を遅延回路９１で共用化し、加算器８５と加算器８１０を加算器９２で共用化している。このような構成をとることにより、図８に比べて回路規模が減少し、信号処理回路１２を安価に構成できる。
【００６２】
図８、図９にはエンハンス回路の一例を示したが、図１０のような構成方法も広く知られている。図１０において、１０１は遅延回路、１０２は減算器、１０３は比較回路である。図８、図９と同一の動作を示すものは同一の符号を付した。
【００６３】
遅延回路１０１は、ラインメモリやフレームメモリである。減算器１０２で入力立体映像信号と遅延回路１０１との差分を取ることにより、ライン間相関やフレーム間相関を取ることができる。例えば、図２（ａ）のようにフィールド毎に左目用映像信号と右目用映像信号が多重されている場合、遅延回路１０１の遅延量は１フレームであって、左目用映像信号同士のフレーム間相関、右目用映像信号同士のフレーム間相関を取ることができる。一般に映像信号の性質として、通常の映像信号はライン相関やフレーム相関が高いが、ノイズ成分は相関が低いことが知られている。この性質を利用して、減算器１０２の出力を比較回路１０３で所定の値より大きいかどうか比較することにより、ライン間相関又はフレーム間相関の高い領域を抽出する。これらの相関の高い領域に対しては図９と同一のエンハンス処理を行うことにより、ノイズ成分を強調することなく、より一層高精度にエンハンス処理を行うことができる。
【００６４】
図８、図９、図１０にはエンハンス回路７１の一例を示したが、複数ラインの相関を用いる方式やフィールド間の相関を用いる方式、それらを組み合わせる方式等、エンハンス処理をする回路であれば、どのようなものでもよい。要するに、制御信号に基づいて左目用映像信号と右目用映像信号とに各々最適なエンハンス処理を施せれば、どのような方式でも図８、図９、図１０と同様の効果がある。
【００６５】
尚、信号処理回路１２は左目用映像信号と右目用映像信号とに異なる処理を施せばよく、上述したノイズリダクション回路３１やエンハンス回路７１に限定されないことは言うまでもない。例えば図１１に示すように、ノイズリダクション回路３１とエンハンス回路７１を組み合わせても良い。例えばインターレースからプログレッシブへの変換（以下、ＩＰ変換と呼ぶ）であってもよい。例えば画像の拡大や縮小であってもよい。
【００６６】
以上のように、本実施形態によると、左目用映像信号と右目用映像信号とに異なる処理を施すことができるので、信号処理が最適化でき、ノイズの低減、解像度感、ディテール感、メリハリの向上等が図れると共に、立体感を向上させることもできる。
【００６７】
尚、立体視用眼鏡２０３に液晶シャッターを用いる場合について説明したが、例えば立体視用眼鏡２０３の液晶シャッターの代わりに偏光レンズを用いて、表示器２０１で表示する左目用映像信号と右目用映像信号との偏光を変えることにより、立体視させる方式でもよい。又は、立体視用眼鏡２０３を用いずに、表示器２０１の表面をレンチキラーレンズで覆い、裸眼で立体視させる方式であってもよい。何れにせよ、左目用映像信号と右目用映像信号とを用いて立体視をさせるものであれば、立体表示装置２０５の方式によらず、本発明がそのまま適用できることは明らかである。
【００６８】
（第２の実施形態）
図１２は本発明の第２の実施形態に係る信号処理装置の構成を示すブロック図である。図１２の信号処理装置は、信号処理制御回路１１と、相関検出回路１２１と、信号処理回路１２２とを備えている。尚、図１２の信号処理装置の後段に従来の技術の項で説明した立体表示装置２０５を接続することにより立体視が可能となる。従来の技術の項で説明した立体表示装置２０５の説明は省略する。
【００６９】
図１２の構成において、信号処理制御回路（信号処理制御手段）１１は、左目用映像信号に信号処理を施すタイミングと、右目用映像信号に信号処理を施すタイミングとを生成し、信号処理回路１２２を制御する。また、相関検出回路（相関検出手段）１２１は、左目用映像信号と右目用映像信号の相関を検出し、その検出結果を出力する。信号処理回路（信号処理手段）１２２は、信号処理制御回路１１が出力するタイミングと相関検出回路１２１が出力する検出結果に基づいて、左目用映像信号の信号処理と、右目用映像信号の信号処理を各々行う。
【００７０】
信号処理回路１２２の例として、ノイズリダクション回路１２３がある。図１３に、ノイズリダクション回路１２３と相関検出回路１２１との具体的な構成例を示す。ノイズリダクション回路１２３は、ＢＰＦ１３１、１３４、１３７、１３１０、係数回路１３２、１３５、１３８、１３１１、リミッタ１３３、１３６、１３９、１３１２、遅延回路１３１３、減算器１３１４、セレクタ１３１５、１３１６、１３１７、第１の左目用ノイズ抽出回路１３１８、第１の右目用ノイズ抽出回路１３１９、第２の左目用ノイズ抽出回路１３２０、第２の右目用ノイズ抽出回路１３２１を備えている。相関検出回路１２１は、遅延回路１３２２と減算器１３２３と比較回路１３２４を備えている。
【００７１】
ＢＰＦ１３１、係数回路１３２、リミッタ１３３で構成される第１の左目用ノイズ抽出回路１３１８、ＢＰＦ１３４、係数回路１３５、リミッタ１３６で構成される第１の右目用ノイズ抽出回路１３１９、ＢＰＦ１３７、係数回路１３８、リミッタ１３９で構成される第２の左目用ノイズ抽出回路１３２０、ＢＰＦ１３１０、係数回路１３１１、リミッタ１３１２で構成される第２の右目用ノイズ抽出回路１３２１は、図４の左目用ノイズ抽出回路４１２や右目用ノイズ抽出回路４１３と同等の動作を行うので、詳しい説明は省略する。図１３では、ノイズリダクション回路１２３は、第１及び第２の左目用及び右目用の各ノイズ抽出回路１３１８〜１３２１が、遅延回路１３１３、減算器１３１４及び３個のセレクタ１３１５、１３１６、１３１７を共用した形で、各々、第１及び第２の左目用及び右目用のノイズリダクション回路を構成している。
【００７２】
相関検出回路１２１は、左目用映像信号と右目用映像信号の相関を検出する。左目用映像信号と右目用映像信号とが図２（ａ）のように１フィールド毎交互に多重されているとすると、遅延回路１３２２で１フィールド＋視差分だけ入力立体映像信号を遅延させる。これと入力立体映像信号との差分を減算器１３２３で求めると、左目用映像信号と右目用映像信号とで相関が高い領域、すなわち、左目と右目とで同じように見える領域で減算器１３２３の出力が０に近づく。逆に、相関の低い領域、すなわち左目と右目で異なって見える領域では減算器１３２３の出力が大きくなる。そこで比較回路１３２４で所定のしきい値と比較することにより、相関の高い領域で０、低い領域で１を比較回路１３２４が出力する。
【００７３】
セレクタ１３１７は、相関検出回路１２１の出力に制御され、相関の高い領域で第１の左目用ノイズ抽出回路１３１８の出力、又は第１の右目用ノイズ抽出回路１３１９の出力を選択する。信号処理制御回路１１の出力でセレクタ１３１５、１３１６が切り替わるので、結局、左目用映像信号のうち左目と右目の相関の高い領域で第１の左目用ノイズ抽出回路１３１８の出力が選択され、右目用映像信号のうち左目と右目の相関の高い領域で第１の右目用ノイズ抽出回路１３１９の出力が選択され、減算器１３１４に供給される。同様に、左目用映像信号のうち左目と右目の相関の低い領域で第２の左目用ノイズ抽出回路１３２０の出力が選択され、右目用映像信号のうち左目と右目の相関の低い領域で第２の右目用ノイズ抽出回路１３２１の出力が選択され、減算器１３１４に供給される。
【００７４】
遅延回路１３１３でタイミングを合わせた後、抽出されたノイズが減算器１３１４で減算され、ノイズを低減された立体映像信号が出力される。結局、相関検出回路１２１で相関が高いと検出された領域には、左目用映像信号に対しては第１の左目用ノイズ抽出回路１３１８によって処理される第１の左目用ノイズリダクション処理が、右目用映像信号に対しては第１の右目用ノイズ抽出回路１３１９によって処理される第１の右目用ノイズリダクション処理が施される。相関検出回路１２１で相関が低いと検出された領域には、左目用映像信号に対しては第２の左目用ノイズ抽出回路１３２０によって処理される第２の左目用ノイズリダクション処理が、右目用映像信号に対しては第２の右目用ノイズ抽出回路１３２１によって処理される第２の右目用ノイズリダクション処理が施される。
【００７５】
ＢＰＦ１３１とＢＰＦ１３４、係数回路１３２と係数回路１３５、リミッタ１３３とリミッタ１３６には同一のものを用いてもよい。その場合、左目用映像信号と右目用映像信号の相関の高い領域には、左右均等にノイズが低減されるので、立体ではない通常の映像信号にノイズリダクション処理を行った場合と同等のノイズ改善効果が得られる。一方、相関の低い領域には、左目用映像信号と右目用映像信号とで各々最適なノイズリダクション処理が行えるので、左目用映像信号と右目用映像信号との間の不整合を抑圧でき、立体感が損なわれることがない。
【００７６】
勿論、ＢＰＦ１３１とＢＰＦ１３４、係数回路１３２と係数回路１３５、リミッタ１３３とリミッタ１３６は各々異なる特性としてもよい。この場合、例えば鑑賞者の視力に合わせて、視力の高い方のノイズをより低減するようにすれば、ノイズ感のバランスが左右で取れ、立体感を向上させるという効果を更に加えることができる。
【００７７】
尚、図１３では、信号処理制御回路１１に制御されたセレクタ１３１５、１３１６の後段に相関検出回路１２１に制御されるセレクタ１３１７を配置したが、この順序を逆にしても効果は同一である。すなわち、相関検出回路１２１で高い相関を検出された領域に対して第１の左目用ノイズリダクション処理を行い、高い相関が検出されなかった領域に対して第２の左目用ノイズリダクション処理を行う。同様に、相関検出回路１２１で高い相関を検出された領域に対して第１の右目用ノイズリダクション処理を行い、高い相関が検出されなかった領域に対して第２の右目用ノイズリダクション処理を行う。両者を信号処理制御回路１１が出力する制御信号で選択すれば、図１３と同等の効果が得られる。つまり、相関検出回路１２１で制御される左目用ノイズリダクション処理と右目用ノイズリダクション処理を設け、両者を信号処理制御回路１１が出力する制御信号で選択することによっても、図１３と同等の効果が得られる。
【００７８】
左目と右目との視差が一意に決定できれば、図１３に示す遅延回路１３２２で相関検出回路１２１を構成できるが、入力立体映像信号に依存して視差が異なる場合、左右の視差を検出する必要がある。このような場合の相関検出回路１２１の具体的な構成例を図１４に示す。相関検出回路１２１は遅延回路１４１、１４２、１４３と減算器１４４、１４５、１４６と視差検知回路１４７と比較回路１４８とを備える。
【００７９】
遅延回路１４１の遅延量は、左目用映像信号と右目用映像信号の多重の方式によって異なる。図２（ａ）のように１フィールド毎に交互に多重されている場合は、例えば１フィールドであり、図２（ｂ）のように１ライン毎に交互に多重されている場合は、例えば１ラインである。これに対して遅延回路１４２、１４３の遅延量は１画素である。遅延回路１４１、１４２、１４３と減算器１４４、１４５、１４６により、左目用映像信号と右目用映像信号とを１画素ずつずらしながら、差分を取ることができる。視差を吸収できる十分な段数だけ遅延回路１４２、１４３を持っておけば、相関の最も大きな箇所で減算器１４４、１４５、１４６の何れかの出力が極小となる。これを視差検知回路１４７で検知すれば、視差に相当する遅延量が得られる。このような検知は初期化時に１回行う場合もあれば、１フィールド毎に行う場合もある。視差検知回路１４７で検知した結果、視差に相当する遅延量との差分を出力する減算器が選択され、その出力としきい値とを比較回路１４８で比較し、相関の大小が出力される。
【００８０】
以上のように、相関検出回路１２１を備えることにより、左目用映像信号と右目用映像信号の各々に最適なノイズリダクション処理を行うことができ、左目用画像と右目用画像との間で不整合が発生しないので、立体感を損なわずにノイズを低減できる。
【００８１】
図１５には、信号処理回路１２２としてエンハンス回路１５１を用いた例を示した。信号処理制御回路１１と相関検出回路１２１は図１３で説明したのと同一の動作を行うので、詳しい説明は省略する。エンハンス回路１５１は信号処理制御回路１１と相関検出回路１２１により制御され、入力される左目用映像信号と右目用映像信号に各々最適なエンハンス処理を行う。
【００８２】
図１６に、エンハンス回路１５１の具体的な構成例を示す。エンハンス回路１５１は、ＢＰＦ１６１、１６４、１６７、１６１０、係数回路１６２、１６５、１６８、１６１１、リミッタ１６３、１６６、１６９、１６１２、遅延回路１６１３、加算器１６１４、セレクタ１６１５、１６１６、１６１７、第１の左目用エンハンス成分抽出回路１６１８、第１の右目用エンハンス成分抽出回路１６１９、第２の左目用エンハンス成分抽出回路１６２０、第２の右目用エンハンス成分回路１６２１を備えている。
【００８３】
ＢＰＦ１６１、係数回路１６２、リミッタ１６３で構成される第１の左目用エンハンス成分抽出回路１６１８、ＢＰＦ１６４、係数回路１６５、リミッタ１６６で構成される第１の右目用エンハンス成分抽出回路１６１９、ＢＰＦ１６７、係数回路１６８、リミッタ１６９で構成される第２の左目用エンハンス成分抽出回路１６２０、ＢＰＦ１６１０、係数回路１６１１、リミッタ１６１２で構成される第２の右目用エンハンス成分抽出回路１６２１は、図８の左目用エンハンス成分抽出回路８１２や右目用エンハンス成分抽出回路８１３と同等の動作を行うので、詳しい説明は省略する。図１６では、エンハンス回路１５１は、前記第１及び第２の左目用及び右目用の各エンハンス成分抽出回路１６１８〜１６２１が、遅延回路１６１３、加算器１６１４及び３個のセレクタ１６１５、１６１６、１６１７を共用した形で、各々、第１及び第２の左目用及び右目用の各エンハンス手段を構成している。
【００８４】
セレクタ１６１７は、相関検出回路１２１の出力に制御され、相関の高い領域で第１の左目用エンハンス成分抽出回路１６１８の出力、又は第１の右目用エンハンス成分抽出回路１６１９の出力を選択する。信号処理制御回路１１の出力でセレクタ１６１５、１６１６が切り替わるので、結局、左目用映像信号のうち左目と右目の相関の高い領域で第１の左目用エンハンス成分抽出回路１６１８の出力が選択され、右目用映像信号のうち左目と右目の相関の高い領域で第１の右目用エンハンス成分抽出回路１６１９の出力が選択され、加算器１６１４に供給される。同様に、左目用映像信号のうち左目と右目の相関の低い領域で第２の左目用エンハンス成分抽出回路１６２０の出力が選択され、右目用映像信号のうち左目と右目の相関の低い領域で第２の右目用エンハンス成分抽出回路１６２１の出力が選択され、加算器１６１４に供給される。
【００８５】
遅延回路１６１３でタイミングを合わせた後、抽出されたエンハンス成分が加算器１６１４で加算され、所定の信号成分が強調された立体映像信号が出力される。結局、相関検出回路１２１で相関が高いと検出された領域には、左目用映像信号に対しては第１の左目用エンハンス成分抽出回路１６１８によって処理される第１の左目用エンハンス処理が、右目用映像信号に対しては第１の右目用エンハンス成分抽出回路１６１９によって処理される第１の右目用エンハンス処理が施される。相関検出回路１２１で相関が低いと検出された領域には、左目用映像信号に対しては第２の左目用エンハンス成分抽出回路１６２０によって処理される第２の左目用エンハンス処理が、右目用映像信号に対しては第２の右目用エンハンス成分抽出回路１６２１によって処理される第２の右目用エンハンス処理が施される。
【００８６】
ＢＰＦ１６１とＢＰＦ１６４、係数回路１６２と係数回路１６５、リミッタ１６３とリミッタ１６６には同一のものを用いてもよい。その場合、左目用映像信号と右目用映像信号の相関の高い領域では、左右均等に信号成分が強調されるので、立体ではない通常の映像信号にエンハンス処理を行った場合と同等の解像度感の改善効果が得られる。一方、相関の低い領域には、左目用映像信号と右目用映像信号とで各々最適なエンハンス処理が行えるので、左目用映像信号と右目用映像信号との間の不整合を抑圧でき、立体感が損なわれることがない。
【００８７】
勿論、ＢＰＦ１６１とＢＰＦ１６４、係数回路１６２と係数回路１６５、リミッタ１６３とリミッタ１６６は各々異なる特性としてもよい。この場合、例えば鑑賞者の視力に合わせて、視力の低い方の信号成分をより強調するようにすれば、解像度感のバランスが左右で取れ、立体感を向上させるという効果を更に加えることができる。
【００８８】
尚、図１６では、信号処理制御回路１１に制御されたセレクタの後段に相関検出回路１２１に制御されるセレクタを配置したが、この順序を逆にしても効果は同一である。すなわち、相関検出回路１２１で高い相関を検出された領域に対して第１の左目用エンハンス処理を行い、高い相関が検出されなかった領域に対して第２の左目用エンハンス処理を行う。同様に、相関検出回路１２１で高い相関を検出された領域に対して第１の右目用エンハンス処理を行い、高い相関が検出されなかった領域に対して第２の右目用エンハンス処理を行う。両者を信号処理制御回路１１が出力する制御信号で選択すれば、図１６と同等の効果が得られる。つまり、相関検出回路１２１で制御される左目用エンハンス処理と右目用エンハンス処理を設け、両者を信号処理制御回路１１が出力する制御信号で選択することによっても、図１６と同等の効果が得られる。
【００８９】
以上のように、相関検出回路１２１を備えることにより、左目用映像信号と右目用映像信号の各々に最適なエンハンス処理を行うことができ、左目用画像と右目用画像との間で不整合が発生しないので、立体感を損なわずにノイズを低減できる。
【００９０】
尚、信号処理回路１２２は左目用映像信号と右目用映像信号とに異なる処理を施せばよく、上述したノイズリダクション回路１２３やエンハンス回路１５１に限定されないことは言うまでもない。例えば図１７に示すように、ノイズリダクション回路１２３とエンハンス回路１５１の組み合わせても良い。また、例えばＩＰ変換であってもよい。更には、例えば画像の拡大や縮小であってもよい。
【００９１】
以上のように、本実施形態によると、左目用映像信号と右目用映像信号とに異なる処理を施すことができるので、信号処理が最適化でき、ノイズの低減、解像度感、ディテール感、メリハリの向上等が図れると共に、立体感を向上させることもできる。
【００９２】
尚、立体視用眼鏡２０３に液晶シャッターを用いる場合について説明したが、例えば立体視用眼鏡２０３の液晶シャッターの代わりに偏光レンズを用いて、表示器２０１で表示する左目用映像信号と右目用映像信号との偏光を変えることにより、立体視させる方式でもよい。又は、立体視用眼鏡２０３を用いずに、表示器２０１の表面をレンチキラーレンズで覆い、裸眼で立体視させる方式であってもよい。何れにせよ、左目用映像信号と右目用映像信号とを用いて立体視をさせるものであれば、立体表示装置２０５の方式によらず、本発明がそのまま適用できることは明らかである。
【００９３】
（第３の実施形態）
図１８は、本発明の第３の実施形態に係る信号処理装置の構成を示すブロック図である。図１８の信号処理装置は、信号処理制御回路１１と、相関検出回路（相関検出手段）１２１と、信号処理回路（信号処理手段）の一例であるノイズリダクション回路１８１３とを備えている。尚、図１８の信号処理装置の後段に従来の技術の項で説明した立体表示装置２０５を接続することにより立体視が可能となる。従来の技術の項で説明した立体表示装置２０５の説明は省略する。
【００９４】
ノイズリダクション回路１８１３は、ＢＰＦ１８１、１８４、係数回路１８２、１８５、リミッタ１８３、１８６、遅延回路１８７、減算器１８８、セレクタ１８９、１８１０、左目用ノイズ抽出回路１８１１、右目用ノイズ抽出回路１８１２を備えている。信号処理回路１１と相関検出回路１２１は図１２と同一の動作を行うので、詳細な説明を省略する。また左目用ノイズ抽出回路１８１１、右目用ノイズ抽出回路１８１２も図４の左目用ノイズ抽出回路４１２、右目用ノイズ抽出回路４１３と同様の動作を行うので、詳細な説明を省略する。図１８では、左目用ノイズ抽出回路１８１１、遅延回路１８７、減算器１８８及び２個のセレクタ１８９、１８１０により、左目用ノイズリダクション手段が構成され、右目用ノイズ抽出回路１８１２、遅延回路１８７、減算器１８８及び２個のセレクタ１８９、１８１０により、右目用ノイズリダクション手段が構成される。
【００９５】
図１８の構成において、信号処理制御回路１１は、左目用映像信号に信号処理を施すタイミングと、右目用映像信号に信号処理を施すタイミングとを生成し、ノイズリダクション回路１８１３を制御する。また相関検出回路１２１は、左目用映像信号と右目用映像信号の相関を検出し、その検出結果を出力する。ノイズリダクション回路１８１３は、信号処理制御回路１１が出力するタイミングと相関検出回路１２１が出力する検出結果に基づいて、左目用映像信号の信号処理と、右目用映像信号の信号処理を各々行う。
【００９６】
セレクタ１８１０は、相関検出回路１２１の出力に制御され、相関の高い領域で左目用ノイズ抽出回路１８１１の出力、又は右目用ノイズ抽出回路１８１２の出力を選択する。信号処理制御回路１１の出力でセレクタ１８９が切り替わるので、結局、左目用映像信号のうち左目と右目の相関の高い領域で左目用ノイズ抽出回路１８１１の出力が選択され、右目用映像信号のうち左目と右目の相関の高い領域で右目用ノイズ抽出回路１８１２の出力が選択され、減算器１８８に供給される。一方、左目と右目の相関の低い領域では０が選択され、減算器１８８に供給される。
【００９７】
遅延回路１８７でタイミングを合わせた後、抽出されたノイズが減算器１８８で減算され、ノイズを低減された立体映像信号が出力される。結局、相関検出回路１２１で相関が高いと検出された領域には、左目用映像信号に対しては左目用ノイズ抽出回路１８１１によって処理される左目用ノイズリダクション処理が、右目用映像信号に対しては右目用ノイズ抽出回路１８１２によって処理される右目用ノイズリダクション処理が施される。相関検出回路１２１で相関が低いと検出された領域には、セレクタ１８１０で０が選択されるので、ノイズリダクション処理が行われない。
【００９８】
ＢＰＦ１８１とＢＰＦ１８４、係数回路１８２と係数回路１８５、リミッタ１８３とリミッタ１８６には同一のものを用いてもよい。その場合、左目用映像信号と右目用映像信号の相関の高い領域には、左右均等にノイズが低減されるので、立体ではない通常の映像信号にノイズリダクション処理を行った場合と同等のノイズ改善効果が得られる。一方、相関の低い領域には、左目用映像信号と右目用映像信号とにノイズリダクション処理が行われないので、左目用映像信号と右目用映像信号との間の不整合が発生せず、立体感が損なわれることがない。
【００９９】
勿論、ＢＰＦ１８１とＢＰＦ１８４、係数回路１８２と係数回路１８５、リミッタ１８３とリミッタ１８６は各々異なる特性としてもよい。この場合、例えば鑑賞者の視力に合わせて、視力の高い方のノイズをより低減するようにすれば、ノイズ感のバランスが左右で取れ、立体感を向上させるという効果を更に加えることができる。
【０１００】
尚、図１８では、信号処理制御回路１１に制御されたセレクタ１８９の後段に相関検出回路１２１に制御されるセレクタ１８１０を配置したが、この順序を逆にしても効果は同一である。すなわち、相関検出回路１２１で高い相関を検出された領域に対して左目用ノイズ抽出処理を行い、高い相関が検出されなかった領域に対しては何も行わない。同様に、相関検出回路１２１で高い相関を検出された領域に対して右目用ノイズ抽出処理を行い、高い相関が検出されなかった領域に対しては何も行わない。両者を信号処理制御回路１１が出力する制御信号で選択すれば、図１８と同等の効果が得られる。
【０１０１】
以上のように、相関検出回路１２１を備えることにより、左目用映像信号と右目用映像信号の各々に最適なノイズリダクション処理を行うことができ、左目用画像と右目用画像との間で不整合が発生しないので、立体感を損なわずにノイズを低減できる。
【０１０２】
図１９の信号処理装置は、信号処理制御回路１１と、相関検出回路１２１と、信号処理回路の一例であるエンハンス回路１９１３とを備えている。エンハンス回路１９１３は、ＢＰＦ１９１、１９４、係数回路１９２、１９５、リミッタ１９３、１９６、遅延回路１９７、加算器１９８、セレクタ１９９、１９１０、左目用エンハンス成分抽出回路１９１１、右目用エンハンス成分抽出回路１９１２を備えている。信号処理回路１１と相関検出回路１２１は図１２と同一の動作を行うので、詳細な説明を省略する。また、左目用エンハンス成分抽出回路１９１１、右目用エンハンス成分抽出回路１９１２も図８の左目用エンハンス成分抽出回路８１２、右目用エンハンス成分抽出回路８１３と同様の動作を行うので、詳細な説明を省略する。図１９では、左目用エンハンス成分抽出回路１９１１、遅延回路１９７、減算器１９８及び２個のセレクタ１９９、１９１０により、左目用エンハンス手段が構成され、右目用エンハンス成分抽出回路１９１２、遅延回路１９７、減算器１９８及び２個のセレクタ１９９、１９１０により、右目用エンハンス手段が構成される。
【０１０３】
セレクタ１９１０は、相関検出回路１２１の出力により制御され、相関の高い領域で左目用エンハンス成分抽出回路１９１１の出力、又は右目用エンハンス成分抽出回路１９１２の出力を選択する。信号処理制御回路１１の出力でセレクタ１９９が切り替わるので、結局、左目用映像信号のうち左目と右目の相関の高い領域で第１の左目用エンハンス成分抽出回路１９１１の出力が選択され、右目用映像信号のうち左目と右目の相関の高い領域で右目用エンハンス成分抽出回路１９２の出力が選択され、加算器１９８に供給される。一方、左目と右目の相関の低い領域では０が選択され、加算器１９８に供給される。
【０１０４】
遅延回路１９７でタイミングを合わせた後、抽出されたエンハンス成分が加算器１９８で加算され、所定の信号成分が強調された立体映像信号が出力される。結局、相関検出回路１２１で相関が高いと検出された領域には、左目用映像信号に対しては左目用エンハンス成分抽出回路１９１１によって処理される左目用エンハンス処理が、右目用映像信号に対しては右目用エンハンス成分抽出回路１９１２によって処理される右目用エンハンス処理が施される。相関検出回路１２１で相関が低いと検出された領域には、セレクタ１９１０で０が選択されるので、エンハンス処理が行われない。
【０１０５】
ＢＰＦ１９１とＢＰＦ１９４、係数回路１９２と係数回路１９５、リミッタ１９３とリミッタ１９６には同一のものを用いてもよい。その場合、左目用映像信号と右目用映像信号の相関の高い領域には、左右均等に信号成分が強調されるので、立体ではない通常の映像信号にエンハンス処理を行った場合と同等の解像度感、ディテール感、メリハリ感の改善効果が得られる。一方、相関の低い領域には、左目用映像信号と右目用映像信号とにエンハンス処理が行われないので、左目用映像信号と右目用映像信号との間の不整合が発生せず、立体感が損なわれることがない。
【０１０６】
勿論、ＢＰＦ１９１とＢＰＦ１９４、係数回路１９２と係数回路１９５、リミッタ１９３とリミッタ１９６は各々異なる特性としてもよい。この場合、例えば鑑賞者の視力に合わせて、視力の低い方の信号成分をより強調するようにすれば、解像度感のバランスが左右で取れ、立体感を向上させるという効果を更に加えることができる。
【０１０７】
尚、図１９では、信号処理制御回路１１に制御されたセレクタ１９９の後段に相関検出回路１２１に制御されるセレクタ１９１０を配置したが、この順序を逆にしても効果は同一である。すなわち、相関検出回路１２１で高い相関を検出された領域に対して左目用エンハンス成分抽出処理を行い、高い相関が検出されなかった領域に対しては何も行わない。同様に、相関検出回路１２１で高い相関を検出された領域に対して右目用エンハンス成分抽出処理を行い、高い相関が検出されなかった領域に対しては何も行わない。両者を信号処理制御回路１１が出力する制御信号で選択すれば、図１９と同等の効果が得られる。
【０１０８】
尚、信号処理回路１２２は左目用映像信号と右目用映像信号とに異なる処理を施せばよく、上述したノイズリダクション回路１２３やエンハンス回路１５１に限定されないことは言うまでもない。例えばノイズリダクション回路１２３とエンハンス回路１５１の組み合わせであっても良い。
【０１０９】
以上のように、相関検出回路１２１を備えることにより、左目用映像信号と右目用映像信号の各々に最適なエンハンス処理を行うことができ、左目用画像と右目用画像との間で不整合が発生しないので、立体感を損なわずに解像度感、ディテール感、メリハリ感を向上させることができる。
【０１１０】
尚、立体視用眼鏡２０３に液晶シャッターを用いる場合について説明したが、例えば立体視用眼鏡２０３の液晶シャッターの代わりに偏光レンズを用いて、表示器２０１で表示する左目用映像信号と右目用映像信号との偏光を変えることにより、立体視させる方式でもよい。又は、立体視用眼鏡２０３を用いずに、表示器２０１の表面をレンチキラーレンズで覆い、裸眼で立体視させる方式であってもよい。何れにせよ、左目用映像信号と右目用映像信号とを用いて立体視をさせるものであれば、立体表示装置２０５の方式によらず、本発明がそのまま適用できることは明らかである。
【産業上の利用可能性】
【０１１１】
以上説明したように、本発明によれば、立体映像信号の表示に際して、左目用画像と右目用画像との間の不整合を抑制して、立体感を損なうことがないようにしたので、立体映像表示時の画質向上に有効である。
【符号の説明】
【０１１２】
１１                          信号処理制御回路（信号処理制御手段）
１２                          信号処理回路（信号処理手段）
１３                          信号処理装置
３１、１２３                ノイズリダクション回路
７１、１５１                エンハンス回路
１２１                      相関検出回路（相関検出手段）
１２２                      信号処理回路（信号処理手段）
１８７、１９７              遅延回路
１８８                      減算器
１８９                      セレクタ
１９８                      加算器
２０１                        表示器
２０２                        駆動回路
２０３                        立体視用眼鏡
２０５                      立体表示装置
４１４                      左目用ノイズリダクション回路
（左目用ノイズリダクション手段）
４１５                      右目用ノイズリダクション回路
（右目用ノイズリダクション手段）
８１４                      左目用エンハンス回路（左目用エンハンス手段）
８１５                      右目用エンハンス回路（右目用エンハンス手段）
１３１３、１６１３          遅延回路
１３１４                    減算器
１６１４                    加算器
１３１５〜１３１７、
１６１５〜１６１７     セレクタ
１３１８                    第１の左目用ノイズ抽出回路
１３１９                    第１の右目用ノイズ抽出回路
１３２０                    第２の左目用ノイズ抽出回路
１３２１                    第２の右目用ノイズ抽出回路
１６１８                    第１の左目用エンハンス成分抽出回路
１６１９                    第１の右目用エンハンス成分抽出回路
１６２０                    第２の左目用エンハンス成分抽出回路
１６２１                    第２の右目用エンハンス成分抽出回路
１８１０                    セレクタ
１８１１                    左目用ノイズ抽出回路
１８１２                    右目用ノイズ抽出回路
１９１１                    左目用エンハンス成分抽出回路
１９１２                    右目用エンハンス成分抽出回路
【手続補正２】
【補正対象書類名】特許請求の範囲
【補正対象項目名】全文
【補正方法】変更
【補正の内容】
【特許請求の範囲】
【請求項１】
左目用映像信号と右目用映像信号とから成る立体映像信号を処理する信号処理装置であって、
前記立体映像信号より前記左目用映像信号を処理するタイミングと前記右目用映像信号を処理するタイミングとから成る制御信号を出力する信号処理制御手段と、
前記信号処理制御手段の制御信号に基づいて、前記左目用映像信号と前記右目用映像信号とに各々異なる信号処理を施す信号処理手段とから構成される
ことを特徴とする信号処理装置。
【請求項２】
前記請求項１記載の信号処理装置において、
前記信号処理手段は、
前記左目用映像信号のノイズ成分を低減する左目用ノイズリダクション手段と、
前記右目用映像信号のノイズ成分を低減する右目用ノイズリダクション手段とを備える
ことを特徴とする信号処理装置。
【請求項３】
前記請求項１記載の信号処理装置において、
前記信号処理手段は、
前記左目用映像信号の所定の信号成分を強調する左目用エンハンス手段と、
前記右目用映像信号の所定の信号成分を強調する右目用エンハンス手段とを備える
ことを特徴とする信号処理装置。
【請求項４】
左目用映像信号と右目用映像信号とから成る立体映像信号を処理する信号処理装置であって、
前記立体映像信号より前記左目用映像信号を処理するタイミングと前記右目用映像信号を処理するタイミングとから成る制御信号を出力する信号処理制御手段と、
前記左目用映像信号と前記右目用映像信号の相関を検出し、その検出結果を出力する相関検出手段と、
前記信号処理制御手段の制御信号と前記相関検出手段の検出結果とに基づいて、前記左目用映像信号と前記右目用映像信号とに各々異なる信号処理を施す信号処理手段とから構成される
ことを特徴とする信号処理装置。
【請求項５】
前記請求項４記載の信号処理装置において、
前記相関検出手段は、
前記左目用映像信号と前記右目用映像信号との何れか一方を所定の時間遅延させ差分をとって相関を検出し、前記検出結果を出力する
ことを特徴とする信号処理装置。
【請求項６】
前記請求項４及び５の何れか１項に記載の信号処理装置において、
前記信号処理手段は、
前記左目用映像信号のノイズ成分を低減する左目用ノイズリダクション手段と、
前記右目用映像信号のノイズ成分を低減する右目用ノイズリダクション手段とを備える
ことを特徴とする信号処理装置。
【請求項７】
前記請求項４及び５の何れか１項に記載の信号処理装置において、
前記信号処理手段は、
前記左目用映像信号の所定の信号成分を強調する左目用エンハンス手段と、
前記右目用映像信号の所定の信号成分を強調する右目用エンハンス手段とを備える
ことを特徴とする信号処理装置。
【請求項８】
前記請求項４及び５の何れか１項に記載の信号処理装置において、
前記信号処理手段は、
前記相関検出手段が高い相関を検出した領域に対して前記左目用映像信号と前記右目用映像信号とに第１の信号処理を施し、前記相関検出手段が高い相関を検出しなかった領域に対して前記左目用映像信号と前記右目用映像信号とに第２の信号処理を施す
ことを特徴とする信号処理装置。
【請求項９】
前記請求項８記載の信号処理装置において、
前記信号処理手段は、
前記相関検出手段が高い相関を検出した領域に対して前記左目用映像信号のノイズ成分を低減する第１の左目用ノイズリダクション手段と、
前記相関検出手段が高い相関を検出した領域に対して前記右目用映像信号のノイズ成分を低減する第１の右目用ノイズリダクション手段と、
前記相関検出手段が高い相関を検出しなかった領域に対して前記左目用映像信号のノイズ成分を低減する第２の左目用ノイズリダクション手段と、
前記相関検出手段が高い相関を検出しなかった領域に対して前記右目用映像信号のノイズ成分を低減する第２の右目用ノイズリダクション手段とから構成される
ことを特徴とする信号処理装置。
【請求項１０】
前記請求項８記載の信号処理装置において、
前記信号処理手段は、
前記相関検出手段が高い相関を検出した領域に対して前記左目用映像信号の所定の信号成分を強調する第１の左目用エンハンス手段と、
前記相関検出手段が高い相関を検出した領域に対して前記右目用映像信号の所定の信号成分を強調する第１の右目用エンハンス手段と、
前記相関検出手段が高い相関を検出しなかった領域に対して前記左目用映像信号の所定の信号成分を強調する第２の左目用エンハンス手段と、
前記相関検出手段が高い相関を検出しなかった領域に対して前記右目用映像信号の所定の信号成分を強調する第２の右目用エンハンス手段とから構成される
ことを特徴とする信号処理装置。
【請求項１１】
左目用映像信号と右目用映像信号とから成る立体映像信号を処理する信号処理装置であって、
前記左目用映像信号と前記右目用映像信号との相関を検出し、その検出結果を出力する相関検出手段と、
前記左目用映像信号と前記右目用映像信号との高い相関が検出された領域に対して前記左目用映像信号と前記右目用映像信号とに信号処理を施し、前記相関検出手段が高い相関を検出しなかった領域に対して前記左目用映像信号と前記右目用映像信号とに信号処理を施さない信号処理手段とから構成される
ことを特徴とする信号処理装置。
【請求項１２】
前記請求項１１記載の信号処理装置において、
前記相関検出手段は、
前記左目用映像信号と前記右目用映像信号の何れか一方を所定の時間遅延させ差分をとって相関を検出し、前記検出結果を出力する
ことを特徴とする信号処理装置。
【請求項１３】
前記請求項１１及び１２の何れか１項に記載の信号処理装置において、
前記信号処理手段は、
前記左目用映像信号のうち高い相関が検出された領域に対してノイズ成分を低減する左目用ノイズリダクション手段と、
前記右目用映像信号のうち高い相関が検出された領域に対してノイズ成分を低減する右目用ノイズリダクション手段とを備える
ことを特徴とする信号処理装置。
【請求項１４】
前記請求項１１及び１２の何れか１項に記載の信号処理装置において、
前記信号処理手段は、
前記左目用映像信号のうち高い相関が検出された領域に対して所定の信号成分を強調する左目用エンハンス手段と、
前記右目用映像信号のうち高い相関が検出された領域に対して所定の信号成分を強調する右目用エンハンス手段とを備える
ことを特徴とする信号処理装置。
【手続補正３】
【補正対象書類名】図面
【補正対象項目名】全図
【補正方法】変更
【補正の内容】
【図１】
2010050084.tif 000024
【図２】
2010050084.tif 000025
【図３】
2010050084.tif 000026
【図４】
2010050084.tif 000027
【図５】
2010050084.tif 000028
【図６】
2010050084.tif 000029
【図７】
2010050084.tif 000030
【図８】
2010050084.tif 000031
【図９】
2010050084.tif 000032
【図１０】
2010050084.tif 000033
【図１１】
2010050084.tif 000034
【図１２】
2010050084.tif 000035
【図１３】
2010050084.tif 000036
【図１４】
2010050084.tif 000037
【図１５】
2010050084.tif 000038
【図１６】
2010050084.tif 000039
【図１７】
2010050084.tif 000040
【図１８】
2010050084.tif 000041
【図１９】
2010050084.tif 000042
【図２０】
2010050084.tif 000043
【図２１】
2010050084.tif 000044
【国際調査報告】
2010050084.tif 000045
2010050084.tif 000046
2010050084.tif 000047